(57)【要約】【課題】本願は、端末デバイスの能力情報を報告するシグナリングオーバーヘッドを減少させることができる能力報告の方法及びデバイスを開示する。【解決手段】該方法は、端末デバイスが、前記端末デバイスのサポートする能力の属する少なくとも１つの能力グループを確定することと、前記端末デバイスがネットワークデバイスに前記少なくとも１つの能力グループの識別子を報告することと、を含む。【選択図】図３
2022501857.tif 000002
【特許請求の範囲】
【請求項１】
端末デバイスは、前記端末デバイスのサポートする能力の属する少なくとも１つの能力グループの識別子をネットワークデバイスに報告することを含む、
ことを特徴とする能力報告の方法。
【請求項２】
前記端末デバイスは、複数の能力グループ及び各能力グループに含まれる能力を含む、能力グループ化情報を取得することをさらに含む、
ことを特徴とする請求項１に記載の方法。
【請求項３】
前記端末デバイスが能力グループ化情報を取得することは、
前記端末デバイスがネットワークデバイスから送信された前記能力グループ化情報を受信すること、又は、
前記端末デバイスが、前記端末デバイスに事前に記憶された前記能力グループ化情報を取得すること、
を含む、ことを特徴とする請求項２に記載の方法。
【請求項４】
前記端末デバイスがネットワークデバイスから送信される前記能力グループ化情報を受信することは、
前記端末デバイスが前記ネットワークデバイスから送信される非アクセス層ＮＡＳシグナリング又はアクセス層ＡＳシグナリングを受信することを含み、
前記ＮＡＳシグナリング又はＡＳシグナリングには前記能力グループ化情報が携帯されている、
ことを特徴とする請求項３に記載の方法。
【請求項５】
前記端末デバイスは、少なくとも１つの能力を含む付加能力の情報、及び前記少なくとも１つの能力グループのもとに前記付加能力を増加又は減少させるように前記端末デバイスに指示する付加指示情報を、前記ネットワークデバイスに報告することをさらに含む、
ことを特徴とする請求項１〜４のいずれか１項に記載の方法。
【請求項６】
前記端末デバイスは、前記ネットワークデバイスから送信される、前記少なくとも１つの能力グループの識別子を報告するように前記端末デバイスに指示する能力要求メッセージを受信することをさらに含む、
ことを特徴とする請求項１〜５のいずれか１項に記載の方法。
【請求項７】
前記少なくとも１つの能力グループは、それぞれ、キャリアアグリゲーションにおける２つのキャリアアグリゲーション能力２ＣＣ  ＣＡ、キャリアアグリゲーションにおける３つのキャリアアグリゲーション能力３ＣＣ  ＣＡ、キャリアアグリゲーションにおける４つのキャリアアグリゲーション能力４ＣＣ  ＣＡ、周波数範囲ＦＲ１、周波数範囲ＦＲ２、増強型マルチメディアブロードキャストマルチキャストｅＭＢＭＳ能力、車両のインターネットＶ２Ｘ通信能力及びビーム伝送能力のうち少なくとも１つの能力を含む、
ことを特徴とする請求項１〜６のいずれか１項に記載の方法。
【請求項８】
ネットワークデバイスは、端末デバイスが報告した、前記端末デバイスのサポートする能力の属する少なくとも１つの能力グループの識別子を受信することを含む、
ことを特徴とする能力報告の方法。
【請求項９】
前記ネットワークデバイスが前記少なくとも１つの能力グループに基づいて前記端末デバイスのサポートする能力を確定することをさらに含む、
ことを特徴とする請求項１に記載の方法。
【請求項１０】
前記ネットワークデバイスは、複数の能力グループ及び各能力グループに含まれる能力を含む能力グループ化情報を前記端末デバイスに送信することをさらに含む、
ことを特徴とする請求項８又は９に記載の方法。
【請求項１１】
前記ネットワークデバイスが前記端末デバイスに能力グループ化情報を送信することは、
前記ネットワークデバイスが前記端末デバイスに非アクセス層ＮＡＳシグナリング又はアクセス層ＡＳシグナリングを送信することを含み、
前記ＮＡＳシグナリング又はＡＳシグナリングには前記能力グループ化情報が携帯されている、
ことを特徴とする請求項１０に記載の方法。
【請求項１２】
前記ネットワークデバイスは、前記端末デバイスが報告した、少なくとも１つの能力を含む付加能力の情報、及び前記少なくとも１つの能力グループのもとに前記付加能力を増加又は減少させるように前記端末デバイスに指示する付加指示情報を受信することをさらに含む、
ことを特徴とする請求項８〜１１のいずれか１項に記載の方法。
【請求項１３】
前記ネットワークデバイスは、前記少なくとも１つの能力グループの識別子を報告するように前記端末デバイスに指示する能力要求メッセージを、前記端末デバイスに送信することをさらに含む、
ことを特徴とする請求項８〜１２のいずれか１項に記載の方法。
【請求項１４】
前記能力グループは、キャリアアグリゲーションにおける２つのキャリアアグリゲーション能力２ＣＣ  ＣＡ、キャリアアグリゲーションにおける３つのキャリアアグリゲーション能力３ＣＣ  ＣＡ、キャリアアグリゲーションにおける４つのキャリアアグリゲーション能力４ＣＣ  ＣＡ、周波数範囲ＦＲ１、周波数範囲ＦＲ２、増強型マルチメディアブロードキャストマルチキャストｅＭＢＭＳ能力、車両のインターネットＶ２Ｘ通信能力及びビーム伝送能力のうち少なくとも１つの能力を含む、
ことを特徴とする請求項８〜１３のいずれか１項に記載の方法。
【請求項１５】
端末デバイスのサポートする能力の属する少なくとも１つの能力グループの識別子をネットワークデバイスに報告する送受信ユニットを含む、
ことを特徴とする端末デバイス。
【請求項１６】
複数の能力グループ及び各能力グループに含まれる能力を含む能力グループ化情報を取得する取得ユニットをさらに含む、
ことを特徴とする請求項１５に記載の端末デバイス。
【請求項１７】
前記取得ユニットは、具体的に、
前記送受信ユニットがネットワークデバイスから送信される前記能力グループ化情報を受信し、又は、前記端末デバイスに事前に記憶された前記能力グループ化情報を取得するために用いられる、
ことを特徴とする請求項１６に記載の端末デバイス。
【請求項１８】
前記送受信ユニットは、具体的に、
前記ネットワークデバイスから送信される非アクセス層ＮＡＳシグナリング又はアクセス層ＡＳシグナリングを受信するために用いられ、前記ＮＡＳシグナリング又はＡＳシグナリングには前記能力グループ化情報が携帯されている、
ことを特徴とする請求項１７に記載の端末デバイス。
【請求項１９】
前記送受信ユニットは、さらに、
前記ネットワークデバイスに、少なくとも１つの能力を含む付加能力の情報、及び前記少なくとも１つの能力グループのもとに前記付加能力を増加又は減少させるように前記端末デバイスに指示する付加指示情報を報告するために用いられる、
ことを特徴とする請求項１５〜１８のいずれか１項に記載の端末デバイス。
【請求項２０】
前記送受信ユニットは、さらに、
前記ネットワークデバイスから送信される、前記少なくとも１つの能力グループの識別子を報告するように前記端末デバイスに指示する能力要求メッセージを受信するために用いられる、
ことを特徴とする請求項１５〜１９のいずれか１項に記載の端末デバイス。
【請求項２１】
前記少なくとも１つの能力グループは、それぞれ、キャリアアグリゲーションにおける２つのキャリアアグリゲーション能力２ＣＣ  ＣＡ、キャリアアグリゲーションにおける３つのキャリアアグリゲーション能力３ＣＣ  ＣＡ、キャリアアグリゲーションにおける４つのキャリアアグリゲーション能力４ＣＣ  ＣＡ、周波数範囲ＦＲ１、周波数範囲ＦＲ２、増強型マルチメディアブロードキャストマルチキャストｅＭＢＭＳ能力、車両のインターネットＶ２Ｘ通信能力及びビーム伝送能力のうち少なくとも１つの能力を含む、
ことを特徴とする請求項１５〜２０のいずれか１項に記載の端末デバイス。
【請求項２２】
端末デバイスの報告する、前記端末デバイスのサポートする能力の属する少なくとも１つの能力グループの識別子を受信する送受信ユニットを含む、
ことを特徴とするネットワークデバイス。
【請求項２３】
前記少なくとも１つの能力グループに基づいて前記端末デバイスのサポートする能力を確定する処理ユニットをさらに含む、
ことを特徴とする請求項２２に記載のネットワークデバイス。
【請求項２４】
前記送受信ユニットは、さらに、
前記端末デバイスに、複数の能力グループ及び各能力グループに含まれる能力を含む能力グループ化情報を送信するために用いられる、
ことを特徴とする請求項２２又は２３に記載のネットワークデバイス。
【請求項２５】
前記送受信ユニットは、具体的に、
前記端末デバイスに非アクセス層ＮＡＳシグナリング又はアクセス層ＡＳシグナリングを送信するために用いられ、
前記ＮＡＳシグナリング又はＡＳシグナリングには前記能力グループ化情報が携帯されている、
ことを特徴とする請求項２４に記載のネットワークデバイス。
【請求項２６】
前記送受信ユニットは、さらに、
前記端末デバイスの報告する、少なくとも１つの能力を含む付加能力の情報、及び前記少なくとも１つの能力グループのもとに前記付加能力を増加又は減少させるように前記端末デバイスに指示する付加指示情報を受信するために用いられる、
ことを特徴とする請求項２２〜２５のいずれか１項に記載のネットワークデバイス。
【請求項２７】
前記送受信ユニットは、さらに、
前記少なくとも１つの能力グループの識別子を報告するように前記端末デバイスに指示する能力要求メッセージを、前記端末デバイスに送信するために用いられる、
ことを特徴とする請求項２２〜２６のいずれか１項に記載のネットワークデバイス。
【請求項２８】
前記能力グループは、キャリアアグリゲーションにおける２つのキャリアアグリゲーション能力２ＣＣ  ＣＡ、キャリアアグリゲーションにおける３つのキャリアアグリゲーション能力３ＣＣ  ＣＡ、キャリアアグリゲーションにおける４つのキャリアアグリゲーション能力４ＣＣ  ＣＡ、周波数範囲ＦＲ１、周波数範囲ＦＲ２、増強型マルチメディアブロードキャストマルチキャストｅＭＢＭＳ能力、車両のインターネットＶ２Ｘ通信能力及びビーム伝送能力のうち少なくとも１つの能力を含む、
ことを特徴とする請求項２２〜２７のいずれか１項に記載のネットワークデバイス。
【請求項２９】
コンピュータプログラムを記憶するメモリと、請求項１〜７のいずれか１項に記載の方法を実行するように、前記メモリに記憶されたコンピュータプログラムを呼び出して実行するプロセッサと、
を含む、ことを特徴とする端末デバイス。
【請求項３０】
コンピュータプログラムを記憶するメモリと、請求項８〜１４のいずれか１項に記載の方法を実行するように、前記メモリに記憶されたコンピュータプログラムを呼び出して実行するプロセッサと、
を含む、ことを特徴とするネットワークデバイス。
【請求項３１】
取り付けられたデバイスが請求項１〜７のいずれか１項に記載の方法を実行するように、メモリからコンピュータプログラムを呼び出して実行するプロセッサを含む、
ことを特徴とするチップ。
【請求項３２】
取り付けられたデバイスが請求項８〜１４のいずれか１項に記載の方法を実行するように、メモリからコンピュータプログラムを呼び出して実行するプロセッサを含む、
ことを特徴とするチップ。
【請求項３３】
コンピュータに請求項１〜７のいずれか１項に記載の方法を実行させるコンピュータプログラムを記憶するために用いられる、
ことを特徴とするコンピュータ読み取り可能な記憶媒体。
【請求項３４】
コンピュータに請求項８〜１４のいずれか１項に記載の方法を実行させるコンピュータプログラムを記憶するために用いられる、
ことを特徴とするコンピュータ読み取り可能な記憶媒体。
【請求項３５】
コンピュータに請求項１〜７のいずれか１項に記載の方法を実行させるコンピュータプログラム命令を含む、
ことを特徴とするコンピュータプログラム製品。
【請求項３６】
コンピュータに請求項８〜１４のいずれか１項に記載の方法を実行させるコンピュータプログラム命令を含む、
ことを特徴とするコンピュータプログラム製品。
【請求項３７】
コンピュータに請求項１〜７のいずれか１項に記載の方法を実行させる、
ことを特徴とするコンピュータプログラム。
【請求項３８】
コンピュータに請求項８〜１４のいずれか１項に記載の方法を実行させる、
ことを特徴とするコンピュータプログラム。
【請求項３９】
請求項１５〜２１のいずれか１項に記載の端末デバイス及び請求項２２〜２８のいずれか１項に記載のネットワークデバイスを含む、
ことを特徴とする通信システム。
【発明の詳細な説明】
【技術分野】
【０００１】
本願の実施例は、通信分野に関し、より具体的には、能力報告（ｃａｐａｂｉｌｉｔｙ  ｒｅｐｏｒｔ）の方法及びデバイスに関する。
【背景技術】
【０００２】
端末デバイスは、付着又はトラッキングエリアアップデート（Ｔｒａｃｋｉｎｇ  Ａｒｅａ  Ｕｐｄａｔｅ、ＴＡＵ）等、ネットワークにアクセスする時、ネットワークデバイスに端末デバイスの能力情報が記憶されていない場合、端末デバイスはネットワークデバイスに自身の能力情報を報告する必要がある。ネットワークは、端末デバイスの能力情報を、例えば移動管理エンティティ（Ｍｏｂｉｌｉｔｙ  Ｍａｎａｇｅｍｅｎｔ  Ｅｎｔｉｔｙ、ＭＭＥ）、認証管理機能（Ａｕｔｈｅｎｔｉｃａｔｉｏｎ  Ｍａｎａｇｅｍｅｎｔ  Ｆｕｎｃｔｉｏｎ、ＡＭＦ）エンティティ等のコアネットワークエンティティに記憶することができる。コアネットワークは端末デバイスが次回アクセスする時に対応する能力をアクセスネットワークに伝送し、それにより端末デバイスが自身の能力情報を繰り返し報告することを回避する。
【０００３】
しかしながら、端末デバイスの能力情報の報告は極めて大きいシグナリングオーバーヘッドを生じてしまうため、如何に端末デバイスの能力情報を報告するシグナリングオーバーヘッドを減少させることは、解決すべき問題になる。
【発明の概要】
【発明が解決しようとする課題】
【０００４】
本願の実施例は、端末デバイスの能力情報を報告するシグナリングオーバーヘッドを減少できる能力報告の方法及びデバイスを提供する。
【課題を解決するための手段】
【０００５】
第１態様は、端末デバイスのサポートする能力の属する少なくとも１つの能力グループの識別子を、前記端末デバイスがネットワークデバイスに報告することを含む能力報告の方法を提供する。
【０００６】
第２態様は、端末デバイスの報告する、前記端末デバイスのサポートする能力の属する少なくとも１つの能力グループの識別子を、ネットワークデバイスが受信することを含む能力報告の方法を提供する。
【０００７】
第３態様は、上記第１態様又は第１態様の任意の選択可能な実施形態における方法を実行できる端末デバイスを提供する。具体的に、該端末デバイスは上記第１態様又は第１態様の任意の可能な実施形態における方法を実行する機能モジュールを含んでもよい。
【０００８】
第４態様は、上記第２態様又は第２態様の任意の選択可能な実施形態における方法を実行できるネットワークデバイスを提供する。具体的に、該ネットワークデバイスは上記第２態様又は第２態様の任意の可能な実施形態における方法を実行する機能モジュールを含んでもよい。
【０００９】
第５態様は、コンピュータプログラムを記憶するメモリと、該メモリに記憶されたコンピュータプログラムを呼び出して実行し、上記第１態様又は第１態様の任意の可能な実施形態における方法を実施するプロセッサと、を含む端末デバイスを提供する。
【００１０】
第６態様は、コンピュータプログラムを記憶するメモリと、該メモリに記憶されたコンピュータプログラムを呼び出して実行し、上記第２態様又は第２態様の任意の可能な実施形態における方法を実施するするプロセッサと、を含むネットワークデバイスを提供する。
【００１１】
第７態様は、上記第１態様又は第１態様の任意の可能な実施形態における方法を実現するチップを提供する。具体的に、該チップは、該チップが取り付けられたデバイスにより上記第１態様又は第１態様の任意の可能な実施形態における方法が実施されるように、メモリからコンピュータプログラムを呼び出して実行するプロセッサを含む。
【００１２】
第８態様は、上記第２態様又は第２態様の任意の可能な実施形態における方法を実現するチップを提供する。具体的に、該チップは、該チップが取り付けられたデバイスにより上記第２態様又は第２態様の任意の可能な実施形態における方法が実施されるように、メモリからコンピュータプログラムを呼び出して実行するプロセッサを含む。
【００１３】
第９態様は、コンピュータに上記第１態様又は第１態様の任意の可能な実施形態における方法を実行させるコンピュータプログラムを記憶するコンピュータ読み取り可能な記憶媒体を提供する。
【００１４】
第１０態様は、コンピュータに上記第２態様又は第２態様の任意の可能な実施形態における方法を実行させるコンピュータプログラムを記憶するコンピュータ読み取り可能な記憶媒体を提供する。
【００１５】
第１１態様は、コンピュータに上記第１態様又は第１態様の任意の可能な実施形態における方法を実行させるコンピュータプログラム命令を含むコンピュータプログラム製品を提供する。
【００１６】
第１２態様は、コンピュータに上記第２態様又は第２態様の任意の可能な実施形態における方法を実行させるコンピュータプログラム命令を含むコンピュータプログラム製品を提供する。
【００１７】
第１３態様は、コンピュータで実行する時にコンピュータに上記第１態様又は第１態様の任意の可能な実施形態における方法を実行させるコンピュータプログラムを提供する。
【００１８】
第１４態様は、コンピュータで実行する時にコンピュータに上記第２態様又は第２態様の任意の可能な実施形態における方法を実行させるコンピュータプログラムを提供する。
【００１９】
第１５態様は、端末デバイス及びネットワークデバイスを含む通信システム提供する。
【００２０】
前記端末デバイスは、前記端末デバイスのサポートする能力の属する少なくとも１つの能力グループの識別子をネットワークデバイスに報告するために用いられる。
【００２１】
前記ネットワークデバイスは、端末デバイスの報告する、前記端末デバイスのサポートする能力の属する少なくとも１つの能力グループの識別子を受信するために用いられる。
【００２２】
前記端末デバイスは、上記第１態様又は第１態様の任意の可能な実施形態における方法を実行するために用いられ、前記ネットワークデバイスは、上記第２態様又は第２態様の任意の可能な実施形態における方法を実行するために用いられる。
【発明の効果】
【００２３】
上記技術的解決手段に基づいて、端末デバイスは、自身のサポートする能力の属する能力グループの識別子をネットワークデバイスに報告し、それによりネットワークデバイスは、受信した能力グループの識別子に基づいて端末デバイスのサポートする能力を確定する。端末デバイスは、サポートする各能力情報をそれぞれネットワークデバイスに報告する必要がなく、自身のサポートする能力の属する能力グループの識別子をネットワークデバイスに報告することができるため、端末デバイスの能力情報を報告する時に生じたシグナリングオーバーヘッドを低減させる。
【図面の簡単な説明】
【００２４】
【図１】本願の実施例による無線通信システムを示す図である。
【図２】端末デバイスの能力情報を報告するプロセスの相関チャートである。
【図３】本願の実施例にかかる能力報告の方法のプロセスの相関チャートである。
【図４】本願の実施例にかかる付加能力報告を示す図である。
【図５】本願の実施例にかかる端末デバイスの概略ブロック図である。
【図６】本願の実施例にかかるネットワークデバイスの概略ブロック図である。
【図７】本願の実施例にかかる通信デバイスの概略構成図である。
【図８】本願の実施例にかかるチップの概略構成図である。
【図９】本願の実施例にかかる通信システムの概略構成図である。
【発明を実施するための形態】
【００２５】
以下、本願の実施例における図面に合わせて、本願の実施例における技術的解決手段を説明する。
【００２６】
本願の実施例にかかる技術的解決手段は様々な通信システムに適用でき、例えば、グローバル・モバイル・コミュニケーション（Ｇｌｏｂａｌ  Ｓｙｓｔｅｍ  ｏｆ  Ｍｏｂｉｌｅ  ｃｏｍｍｕｎｉｃａｔｉｏｎ、ＧＳＭ）システム、符号分割多元接続（Ｃｏｄｅ  Ｄｉｖｉｓｉｏｎ  Ｍｕｌｔｉｐｌｅ  Ａｃｃｅｓｓ、ＣＤＭＡ）システム、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ、ＷＣＤＭＡ）システム、汎用パケット無線サービス（Ｇｅｎｅｒａｌ  Ｐａｃｋｅｔ  Ｒａｄｉｏ  Ｓｅｒｖｉｃｅ、ＧＰＲＳ）、ロングタームエボリューション（Ｌｏｎｇ  Ｔｅｒｍ  Ｅｖｏｌｕｔｉｏｎ、ＬＴＥ）システム、ＬＴＥ周波数分割複信（Ｆｒｅｑｕｅｎｃｙ  Ｄｉｖｉｓｉｏｎ  Ｄｕｐｌｅｘ、ＦＤＤ）システム、ＬＴＥ時分割複信（Ｔｉｍｅ  Ｄｉｖｉｓｉｏｎ  Ｄｕｐｌｅｘ、ＴＤＤ）、ロングタームエボリューションアドバンス（Ａｄｖａｎｃｅｄ  ｌｏｎｇ  ｔｅｒｍ  ｅｖｏｌｕｔｉｏｎ、ＬＴＥ−Ａ）システム、新しい無線（Ｎｅｗ  Ｒａｄｉｏ、ＮＲ）システム、ＮＲシステムのエボリューションシステム、アンライセンスバンドのＬＴＥ（ＬＴＥ−ｂａｓｅｄ  ａｃｃｅｓｓ  ｔｏ  ｕｎｌｉｃｅｎｓｅｄ  ｓｐｅｃｔｒｕｍ、ＬＴＥ−Ｕ）システム、アンライセンスバンドのＮＲ（ＮＲ−ｂａｓｅｄ  ａｃｃｅｓｓ  ｔｏ  ｕｎｌｉｃｅｎｓｅｄ  ｓｐｅｃｔｒｕｍ、ＮＲ−Ｕ）システム、ユニバーサル・モバイル・テレコミュニケーション・システム（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ、ＵＭＴＳ）、ワイマックス（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ、ＷｉＭＡＸ）通信システム、無線ローカルエリアネットワーク（Ｗｉｒｅｌｅｓｓ  Ｌｏｃａｌ  Ａｒｅａ  Ｎｅｔｗｏｒｋｓ、ＷＬＡＮ）、無線フィディリティー（Ｗｉｒｅｌｅｓｓ  Ｆｉｄｅｌｉｔｙ、ＷｉＦｉ）、次世帯通信システム又はその他の通信システム等である。
【００２７】
一般的には、従来の通信システムのサポートする接続の数は有限であり、実現しやすいが、通信技術の発展に伴い、移動通信システムは従来の通信をサポートするだけでなく、例えば、デバイスツーデバイス（Ｄｅｖｉｃｅ  ｔｏ  Ｄｅｖｉｃｅ、Ｄ２Ｄ）通信、マシンツーマシン（Ｍａｃｈｉｎｅ  ｔｏ  Ｍａｃｈｉｎｅ、Ｍ２Ｍ）通信、マシンタイプの通信（Ｍａｃｈｉｎｅ  Ｔｙｐｅ  Ｃｏｍｍｕｎｉｃａｔｉｏｎ、ＭＴＣ）及び車両間（Ｖｅｈｉｃｌｅ  ｔｏ  Ｖｅｈｉｃｌｅ、Ｖ２Ｖ）通信等もサポートする。本願の実施例はこれらの通信システムにも適用される。
【００２８】
好ましくは、本願の実施例における通信システムはキャリアアグリゲーション（Ｃａｒｒｉｅｒ  Ａｇｇｒｅｇａｔｉｏｎ、ＣＡ）の場面に適用されてもよく、二重接続（Ｄｕａｌ  Ｃｏｎｎｅｃｔｉｖｉｔｙ、ＤＣ）の場面に適用されてもよく、又は独立（Ｓｔａｎｄａｌｏｎｅ、ＳＡ）したネットワーク構成の場面に適用されてみよい。
【００２９】
例示的に、本願の実施例に適用される通信システム１００は図１に示す。該無線通信システム１００はネットワークデバイス１１０を含んでもよい。ネットワークデバイス１１０は端末デバイスと通信するデバイスであってもよい。ネットワークデバイス１１０は特定の地理的エリアに通信カバレッジを提供してもよく、該カバレッジエリアに位置する端末デバイスと通信してもよい。好ましくは、該ネットワークデバイス１００はＧＳＭシステム又はＣＤＭＡシステム内の基地局（Ｂａｓｅ  Ｔｒａｎｓｃｅｉｖｅｒ  Ｓｔａｔｉｏｎ、ＢＴＳ）でもよく、ＷＣＤＭＡシステムにおける基地局（ＮｏｄｅＢ、ＮＢ）でもよく、さらにＬＴＥシステムにおけるエボリューション型基地局（Ｅｖｏｌｕｔｉｏｎａｌ  Ｎｏｄｅ  Ｂ、ｅＮＢ又はｅＮｏｄｅＢ）でもよく、又はＮＲシステムにおけるネットワーク側デバイスであり、又はクラウド・ワイヤレス・アクセス・ネットワーク（Ｃｌｏｕｄ  Ｒａｄｉｏ  Ａｃｃｅｓｓ  Ｎｅｔｗｏｒｋ、ＣＲＡＮ）における無線コントローラであり、又は該ネットワークデバイスはリレーステーション、アクセスポイント、車載デバイス、ウェアラブルデバイス、次世帯ネットワークにおけるネットワーク側デバイス又は将来進化する公衆陸上モバイルネットワーク（Ｐｕｂｌｉｃ  Ｌａｎｄ  Ｍｏｂｉｌｅ  Ｎｅｔｗｏｒｋ、ＰＬＭＮ）におけるネットワークデバイス等であってもよい。
【００３０】
該無線通信システム１００はさらにネットワークデバイス１１０のカバレッジ範囲内に位置する少なくとも１つの端末デバイス１２０を含む。ここで用いられる「端末デバイス」として公衆交換電話ネットワーク（Ｐｕｂｌｉｃ  Ｓｗｉｔｃｈｅｄ  Ｔｅｌｅｐｈｏｎｅ  Ｎｅｔｗｏｒｋｓ、ＰＳＴＮ）、デジタル加入者回線（Ｄｉｇｉｔａｌ  Ｓｕｂｓｃｒｉｂｅｒ  Ｌｉｎｅ、ＤＳＬ）、デジタルケーブル、直接ケーブル経由の接続のような、有線リンク経由の接続、及び／又は別のデータによる接続／ネットワーク、及び／又はセルラーネットワーク、ＤＶＢ−Ｈネットワークのデジタルテレビネットワーク、衛星ネットワーク、ＡＭ−ＦＭブロードキャスト送信器のような無線ローカルエリアネットワーク（Ｗｉｒｅｌｅｓｓ  Ｌｏｃａｌ  Ａｒｅａ  Ｎｅｔｗｏｒｋ、ＷＬＡＮ）等のような無線インターフェース経由の接続、及び／又は別の端末デバイスの、通信信号を受信／送信するように設定された装置、及び／又はモノのインターネット（Ｉｎｔｅｒｎｅｔ  ｏｆ  Ｔｈｉｎｇｓ、ＩｏＴ）デバイスを含むが、これらに限定されない。無線インターフェースを介して通信するように設定された端末デバイスは「無線通信端末」、「無線端末」又は「移動端末」と呼ばれてもよい。
【００３１】
端末デバイス１２０は移動又は固定のものであってもよい。好ましくは、端末デバイス１２０はアクセス端末、ユーザーデバイス（Ｕｓｅｒ  Ｅｑｕｉｐｍｅｎｔ、ＵＥ）、ユーザーユニット、ユーザーステーション、モバイルステーション、移動局、リモートステーション、リモート端末、モバイルデバイス、ユーザー端末、端末、無線通信デバイス、ユーザーエージェント又はユーザー装置であってもよい。アクセス端末はセルラー電話、コードレス電話、セッション開始プロトコル（Ｓｅｓｓｉｏｎ  Ｉｎｉｔｉａｔｉｏｎ  Ｐｒｏｔｏｃｏｌ、ＳＩＰ）電話、ワイヤレス・ローカル・ループ（Ｗｉｒｅｌｅｓｓ  Ｌｏｃａｌ  Ｌｏｏｐ、ＷＬＬ）ステーション、パーソナル・デジタル・アシスタント（Ｐｅｒｓｏｎａｌ  Ｄｉｇｉｔａｌ  Ａｓｓｉｓｔａｎｔ、ＰＤＡ）、無線通信機能を備えるハンドヘルドデバイス、コンピューティングデバイス又は無線モデムに接続されたその他の処理デバイス、車載デバイス、ウェアラブルデバイス、将来５Ｇネットワークにおける端末デバイス又は将来進化するＰＬＭＮにおける端末デバイス等であってもよい。ここで、好ましくは、端末デバイス１２０の間で端末直接接続（Ｄｅｖｉｃｅ  ｔｏ  Ｄｅｖｉｃｅ、Ｄ２Ｄ）通信を行ってもよい。
【００３２】
具体的に、ネットワークデバイス１１０はセルにサービスを提供することができる。端末デバイス１２０は該セルに用いられる伝送リソース（例えば、周波数帯域リソース又はバンドリソース）を介してネットワークデバイス１１０と通信し、該セルはネットワークデバイス１１０（例えば基地局）に対応するセルであってもよく、セルはマクロ基地局に属してもよく、スモールセル（Ｓｍａｌｌ  ｃｅｌｌ）に対応する基地局に属してもよく、ここのスモールセルはメトロセル（Ｍｅｔｒｏ  ｃｅｌｌ）、マイクロセル（Ｍｉｃｒｏ  ｃｅｌｌ）、ピコセル（Ｐｉｃｏ  ｃｅｌｌ）及びフェムトセル（Ｆｅｍｔｏ  ｃｅｌｌ）等を含むことができ、これらのスモールセルはカバレッジ範囲が小さく、送信電力が低いという特徴を有し、高レートのデータ伝送サービスを提供することに適用される。
【００３３】
図１は例示的に１つのネットワークデバイスと２つの端末デバイスを示す。好ましくは、該無線通信システム１００は複数のネットワークデバイスを含んでもよく、各ネットワークデバイスのカバレッジ範囲内にその他の数の端末デバイスを含んでもよく、本願の実施例はこれらに対して限定しない。好ましくは、該無線通信システム１００はさらにネットワークコントローラ、移動管理エンティティ等のその他のネットワークエンティティを含んでもよく、本願の実施例はこれらに対して限定しない。
【００３４】
端末デバイスが付着又はＴＡＵ等、ネットワークにアクセスする時、ネットワークデバイスに端末デバイスの能力情報が記憶されていない場合、端末デバイスがネットワークデバイスに自身の能力情報を報告する必要がある。例えば、図２は端末デバイスの能力情報を報告するプロセスの相関チャートであり、ネットワークデバイスが端末デバイスにＵＥ能力要求メッセージ（ＵＥＣａｐａｂｉｌｉｔｙＥｎｑｕｉｒｙ）を送信することができ、端末デバイスは該能力要求メッセージを受信した後、ネットワークデバイスに自身のＵＥ能力情報（ＵＥＣａｐａｂｉｌｉｔｙＩｎｆｏｒｍａｔｉｏｎ）を報告する。ネットワークは端末デバイスの能力情報を例えばＭＭＥ、ＡＭＦエンティティ等、コアネットワークエンティティに記憶することができる。コアネットワークは端末デバイスが次回アクセスする時に対応する能力情報をアクセスネットワークに伝送し、それにより端末デバイスが自身の能力情報を繰り返し報告することを回避する。しかしながら、端末デバイスの能力は端末デバイスの各ソフトウェア・ハードウェアの能力に関し、非常に複雑であり、シグナリングオーバーヘッドが非常に大きい。
【００３５】
そのため、本願の実施例により、端末デバイスのサポート可能な様々な能力をグループ化し、端末デバイスは自身のサポートする能力の属する能力グループの識別子をネットワークデバイスに報告することにより、ネットワークデバイスは受信した能力グループの識別子に基づいて端末デバイスのサポートする能力を確定する。端末デバイスは、サポートする各能力情報をそれぞれネットワークデバイスに報告する必要がなく、自身のサポートする能力の属する能力グループの識別子をネットワークデバイスに報告することができるため、端末デバイスの能力情報を報告する時に生じたシグナリングオーバーヘッドを低減させる。
【００３６】
図３は本願の実施例にかかる能力報告の方法３００のプロセスの相関チャートである。図３に示す方法は端末デバイス及びネットワークデバイスにより実行され、該端末デバイスは例えば図１に示す端末デバイス１２０であってもよく、該ネットワークデバイスは例えば図１に示すネットワークデバイスであってもよい。図３に示すように、該能力報告の方法３００は以下を含む。
【００３７】
３１０において、端末デバイスのサポートする能力の属する少なくとも１つの能力グループの識別子を、端末デバイスがネットワークデバイスに報告する。
【００３８】
３２０において、ネットワークデバイスは端末デバイスが報告した、端末デバイスのサポートする能力の属する該少なくとも１つの能力グループの識別子を受信する。
【００３９】
具体的に、各能力情報をグループ化することができ、各能力グループは独自の唯一の識別子を有し、該識別子は例えば該能力グループの名称、インデックス等であってもよい。端末デバイスはサポートする能力に基づいてこれらの能力のそれぞれ属する能力グループを確定し、これらの能力グループの識別子をネットワークデバイスに報告し、それによりネットワークデバイスは受信した能力グループの識別子に基づいて該端末デバイスのサポートする能力を確定することができ、これらの識別子が表示する能力グループにおける能力の組み合わせは該端末デバイスのサポートする能力である。
【００４０】
好ましくは、３１０の前に該方法は、さらに端末デバイスが、複数の能力グループ及び各能力グループに含まれる能力を含む能力グループ化情報を取得することを含む。
【００４１】
好ましくは、ネットワークデバイスが能力グループ化情報を端末デバイスに送信してもよく、それにより端末デバイスは、ネットワークデバイスから送信される該能力グループ化情報を受信する。即ち該能力グループ化情報はネットワークデバイスにより構成される。例えば、ネットワークデバイスが非アクセス層（Ｎｏｎ  Ａｃｃｅｓｓ  Ｓｔｒａｔｕｍ、ＮＡＳ）シグナリング又はアクセス層（Ａｃｃｅｓｓ  Ｓｔｒａｔｕｍ、ＡＳ）シグナリングを端末デバイスに送信し、ただし、該ＮＡＳシグナリング又はＡＳシグナリングには該能力グループ化情報が携帯され、それにより端末デバイスはネットワークデバイスから送信された非アクセス層ＮＡＳシグナリング又はアクセス層ＡＳシグナリングを受信することによって該能力グループ化情報を取得する。
【００４２】
又は、好ましくは、端末デバイスは該端末デバイス内に事前に記憶された該能力グループ化情報を取得してもよく、即ち該能力グループ化情報は事前に設定される。例えば、該能力グループ化情報はプロトコルにより事前に約束されてもよい。
【００４３】
本願の実施例において、該複数の能力グループは無線能力（例えば無線アクセスに関連する能力）に対して分割する能力グループを含んでもよく、コアネットワーク能力（例えばコアネットワークに関連する能力）に対して分割する能力グループを含んでもよい。本願の実施例はこれらに対して如何なる限定を行わず、端末デバイスの如何なる能力報告はいずれも本願の実施例に説明された方法を用いることができる。
【００４４】
例えば、該少なくとも１つの能力グループは、それぞれ、キャリアアグリゲーション（Ｃａｒｒｉｅｒ  Ａｇｇｒｅｇａｔｉｏｎ、ＣＡ）能力、増強型マルチメディアブロードキャストマルチキャスト（Ｅｖｏｌｖｅｄ  Ｍｕｌｔｉｍｅｄｉａ  Ｂｒｏａｄｃａｓｔ  Ｍｕｌｔｉｃａｓｔ  Ｓｅｒｖｉｃｅ、ｅＭＢＭＳ）能力、サポートする周波数範囲（Ｆｒｅｑｕｅｎｃｙ  Ｒａｎｇｅ、ＦＲ）、車両のインターネット（Ｖｅｈｉｃｌｅ  ｔｏ  Ｅｖｅｒｙｔｈｉｎｇ、Ｖ２Ｘ）通信能力及びビーム（ｂｅａｍ）伝送能力のうち少なくとも１つの能力を含んでもよい。
【００４５】
キャリアアグリゲーション能力は、例えば２つのキャリアアグリゲーション（Ｃａｒｒｉｅｒ  Ｃｏｍｐｏｎｅｎｔ、ＣＣ）能力（２ＣＣ  ＣＡ）、キャリアアグリゲーションにおける３つのキャリアアグリゲーション能力３ＣＣ  ＣＡ、キャリアアグリゲーションにおける４つのキャリアアグリゲーション４ＣＣ  ＣＡ等を含む。周波数範囲は、例えばＦＲ１（例えば６ＧＨｚ以下の周波数帯）、ＦＲ２（例えばミリ波の周波数帯）等を含む。ビーム伝送能力は例えば８ビーム伝送、４ビーム伝送等をサポートすることを含む。
【００４６】
また、該少なくとも１つの能力グループは、さらにその他の無線能力情報（ＵＥ  Ｒａｄｉｏ  Ｃａｐａｂｉｌｉｔｙ  Ｉｎｆｏｒｍａｔｉｏｎ）及びコアネットワーク能力情報（ＵＥ  Ｃｏｒｅ  Ｎｅｔｗｏｒｋ  Ｃａｐａｂｉｌｉｔｙ  Ｉｎｆｏｒｍａｔｉｏｎ）に対して分割される能力グループを含み、例えば、サポートするアンテナポート、サポートする無線アクセスタイプ（Ｒａｄｉｏ  Ａｃｃｅｓｓ  Ｔｙｐｅ、ＲＡＴ）、パワーレベル、パケットサービスハンドオーバ（Ｐａｃｋｅｔ  Ｓｅｒｖｉｃｅ  Ｈａｎｄｏｖｅｒ、ＰＳＨＯ）能力、サポートするセキュリティアルゴリズム、単一の無線音声通話の連続性（Ｓｉｎｇｌｅ  Ｒａｄｉｏ  Ｖｏｉｃｅ  Ｃａｌｌ  Ｃｏｎｔｉｎｕｉｔｙ、ＳＲＶＣＣ）をサポートするか否か等である。
【００４７】
例えば、表１は各能力グループに含まれる能力及び該能力グループの識別子を示す。端末デバイスがネットワークデバイスに識別子０を報告する場合、端末デバイスが２ＣＣ  ＣＡの能力を有することを示す。端末デバイスがネットワークデバイスに識別子１を報告する場合、端末デバイスが３ＣＣ  ＣＡの能力を有することを示す。端末デバイスがネットワークデバイスに識別子２を報告する場合、端末デバイスが４ＣＣ  ＣＡの能力を有することを示す。端末デバイスがネットワークデバイスに識別子３を報告する場合、端末デバイスがｅＭＢＭＳ能力を有することを示す。端末デバイスがネットワークデバイスに識別子４を報告する場合、端末デバイスがＶ２Ｘ通信能力を有することを示す。端末デバイスがネットワークデバイスに識別子５を報告する場合、端末デバイスがＦＲ１周波数帯の伝送をサポートすることを示す。端末デバイスがネットワークデバイスに識別子６を報告する場合、端末デバイスがＦＲ２周波数帯の伝送をサポートすることを示す。端末デバイスがネットワークデバイスに識別子７を報告する場合、端末デバイスが最大８ビーム伝送をサポートすることを示す。端末デバイスがネットワークデバイスに識別子８を報告する場合、端末デバイスが最大４ビーム伝送をサポートすることを示す。
【００４８】
【表１】
2022501857.tif 000003
【００４９】
実際の応用において、該能力グループには、さらに例えば表２又は表３に示すように、より細かく分割された能力を含んでもよく、以下、キャリアアグリゲーション能力における２ＣＣ  ＣＡ、３ＣＣ  ＣＡ及びＶ２Ｘ通信能力を例として説明する。
【００５０】
表２において、２ＣＣ  ＣＡにおいて利用可能な周波数帯（ｂａｎｄ、Ｂ）はＢ１＋Ｂ７、Ｂ１＋Ｂ５及びＢ５＋Ｂ７等を含み、３ＣＣ  ＣＡにおいて利用可能な周波数帯はＢ１＋Ｂ５＋Ｂ７、Ｂ１＋Ｂ５＋Ｂ８及びＢ５＋Ｂ７＋Ｂ８等を含み、Ｖ２Ｘ通信能力にはＵｕインターフェースに基づく通信能力及びサイドリンク（Ｓｉｄｅｌｉｎｋ、ＳＬ）に基づく通信能力を含み、さらに、Ｕｕインターフェースに基づく通信能力はセミパーシステントスケジューリング（Ｓｅｍｉ−Ｐｅｒｓｉｓｔｅｎｔ  Ｓｃｈｅｄｕｌｉｎｇ、ＳＰＳ）能力、リソース検出（ｓｅｎｓｉｎｇ）能力等を含む。
【００５１】
表３において、２ＣＣ  ＣＡにおいて利用可能な周波数帯はＢ１、Ｂ５及びＢ７等を含み、３ＣＣ  ＣＡにおいて利用可能な周波数帯はＢ１、Ｂ５、Ｂ７及びＢ８等を含み、Ｖ２Ｘ通信能力にはＵｕインターフェースに基づく通信能力及びサイドリンクに基づく通信能力を含み、さらに、Ｕｕインターフェースに基づく通信能力はセミパーシステントスケジューリング能力及びリソース検出能力等を含む。
【００５２】
端末デバイスが備える能力について、これらの能力の属する能力グループの識別子をネットワークデバイスに報告し、それによりネットワークデバイスは該端末デバイスから受信した能力グループの識別子に基づいて端末デバイスの能力を確定する。
【００５３】
例えば、表２に示すように、端末デバイスが識別子１００を報告する場合、該端末デバイスは２ＣＣ  ＣＡにおける全ての周波数帯の組み合わせをサポートすることを表し、即ちＢ１＋Ｂ５、Ｂ１＋Ｂ７及びＢ５＋Ｂ７等の全ての周波数帯の組み合わせをサポートする。端末デバイスが識別子１１０を報告する場合、Ｂ１＋Ｂ５のみをサポートすることを表す。端末デバイスが識別子１１０と１２０を報告する場合、Ｂ１＋Ｂ５とＢ１＋Ｂ７をサポートすることを表す。端末デバイスが識別子２１０を報告する場合、Ｂ１＋Ｂ５＋Ｂ７をサポートすることを表す。
【００５４】
また、例えば、表２に示すように、端末デバイスが識別子３２０を報告する場合、端末デバイスはＶ２Ｘにおけるサイドリンク伝送をサポートすることを表す。端末デバイスが識別子３２１と３２２を報告する場合、端末デバイスはサイドリンクにおけるセミパーシステントスケジューリング伝送とリソース検出をサポートすることを表す。
【００５５】
また、例えば、表３に示すように、端末デバイスが２ＣＣ  ＣＡ下のバンドＢ１をサポート可能でありさえすれば、端末デバイスが識別子１１０を報告する場合、端末デバイスは、例えばＢ１＋Ｂ５、Ｂ１＋Ｂ７等のＢ１を含む全てのバンドの組み合わせをサポート可能であることを表す。端末デバイスが２ＣＣ  ＣＡ下のバンドＢ５をサポート可能でありさえすれば、端末デバイスが識別子１２０を報告する場合、端末デバイスは、例えばＢ１＋Ｂ５、Ｂ５＋Ｂ７等のＢ５を含む全てのバンドの組み合わせをサポート可能であることを表す。
【００５６】
【表２】
2022501857.tif 000004
【００５７】
【表３】
2022501857.tif 000005
【００５８】
表１〜表３に示す能力グループの分割方法は一例に過ぎず、本願の実施例はその他の能力グループの分割方法を用いてもよく、能力分割の粒度に対して限定しない。能力グループの分割を実現可能なその他の方法はいずれも本願の実施例の保護範囲に含まれるべきである。
【００５９】
好ましくは、図３に示すように、該方法はさらに３３０を含む。
【００６０】
３３０において、端末デバイスが付加能力の情報及び付加指示情報をネットワークデバイスに報告する。
【００６１】
該付加指示情報は、該少なくとも１つの能力グループのもとに該付加能力を増加又は減少させるように該端末デバイスに指示するために用いられる。
【００６２】
該付加能力は少なくとも１つの能力を含んでもよい。
【００６３】
例えば、図４に示すように、端末デバイスは能力グループ１、能力グループ２及び能力グループ３の識別子を報告した後、さらに付加能力１〜付加能力ｎを報告することができ、これらの能力グループに含まれる能力にこれらの付加能力を加算又は減算すると、最終的に端末デバイスの能力を構成することができる。
【００６４】
端末デバイスは自身の一部の能力の属する能力グループの識別子を報告した後、その属する適切な能力グループが見つからないいくつかの能力が残る可能性がある。この場合、これらの能力は個別で報告する方法を用いて、増加を必要とする能力情報をネットワークデバイスに直接報告してもよい。
【００６５】
例えば、上記表３を参照し、端末デバイスが３ＣＣ  ＣＡをサポートし、３ＣＣ  ＣＡにおけるバンドＢ１をサポートする場合、該端末デバイスが例えばＢ１＋Ｂ５＋Ｂ７、Ｂ１＋Ｂ５＋Ｂ８及びＢ５＋Ｂ７＋Ｂ８等のＢ１を含む全てのバンドの組み合わせをサポート可能であることを表示するために、端末デバイスがネットワークデバイスに識別子２１０を報告する。ところが、端末デバイスがさらにＢ５＋Ｂ７＋Ｂ８を個別でサポートする場合、端末デバイスは、例えば図２における２２０の方法を用いてネットワークデバイスに自身の付加能力、即ちＢ５＋Ｂ７＋Ｂ８を報告し、該付加能力が増加した能力であることをネットワークデバイスに指示し、それによりネットワークデバイスは端末デバイスの能力が識別子２１０の表示する能力グループにおける各能力及び能力Ｂ５＋Ｂ７＋Ｂ８を含むことを確定する。
【００６６】
又は、端末デバイスが自身の備える一部の能力の属する能力グループの識別子を報告した後、報告した能力グループにおけるいくつかの能力がサポートしないことを発見する場合、端末デバイスは個別で報告する方法を用いて、減少を必要とする部分の能力をネットワークデバイスに直接報告してもよい。
【００６７】
例えば、上記表３を参照し、端末デバイスが３ＣＣ  ＣＡをサポートし、３ＣＣ  ＣＡにおけるバンドＢ１をサポートする場合、該端末デバイスが例えばＢ１＋Ｂ５＋Ｂ７、Ｂ１＋Ｂ５＋Ｂ８及びＢ５＋Ｂ７＋Ｂ８等のＢ１を含む全てのバンドの組み合わせをサポート可能であることを表示するために、端末デバイスがネットワークデバイスに識別子２１０を報告する。ところが、端末デバイスはさらに付加能力の情報及び該端末デバイスがＢ５＋Ｂ７＋Ｂ８をサポートしないことを指示する付加指示情報を報告する場合、ネットワークデバイスは端末デバイスの能力が能力Ｂ５＋Ｂ７＋Ｂ８を除いた、識別子２１０の表示する能力グループにおける各能力を含むことを確定する。
【００６８】
好ましくは、３１０の前、該方法において、さらにネットワークデバイスは、端末デバイスが該少なくとも１つの能力グループの識別子を報告することを指示する能力要求メッセージを端末デバイスに送信することを含む。
【００６９】
対応的に、３１０の前、該方法において、さらに端末デバイスは、ネットワークデバイスから送信された、端末デバイスが該少なくとも１つの能力グループの識別子を報告することを指示する能力要求メッセージを受信することを含む。
【００７０】
即ち、端末デバイスは自身の能力の属する能力グループの識別子を自ら報告してもよく、ネットワークデバイスの要求下で、ネットワークデバイスから送信された能力要求メッセージに基づいて該能力グループの識別子を送信してもい。
【００７１】
説明すべきことは、矛盾しないことを前提として、本願に説明された各実施例及び／又は各実施例における技術的特徴を任意に互いに組み合わせることができ、組み合わせ後に得られた技術的解決手段も本願の保護範囲に含まれるべきである。
【００７２】
理解すべきことは、本願の各実施例において、上記各プロセスの番号の大きさは実行順位の前後を意味せず、各プロセスの実行順位はその機能及び内部ロジックにより確定され、本願の実施例にかかる実施プロセスを如何なる限定を行うべきではない。
【００７３】
以上、本願の実施例による通信方法を詳しく説明しているが、以下、図４から図８に合わせて、本願の実施例による装置を説明し、方法の実施例により説明される技術的特徴は以下の装置の実施例に適用される。
【００７４】
図５は本願の実施例による端末デバイス５００の概略ブロック図である。図５に示すように、該端末デバイス５００は、前記端末デバイスのサポートする能力の属する少なくとも１つの能力グループの識別子をネットワークデバイスに報告する送受信ユニット５１０を含む。
【００７５】
そのため、端末デバイスのサポート可能な様々な能力をグループ化し、端末デバイスは自身のサポートする能力の属する能力グループの識別子をネットワークデバイスに報告することにより、ネットワークデバイスは受信した能力グループの識別子に基づいて端末デバイスのサポートする能力を確定する。端末デバイスはサポートする各能力情報をそれぞれネットワークデバイスに報告する必要がないため、端末デバイスの能力情報を報告する時に生じたシグナリングオーバーヘッドを低減させる。
【００７６】
好ましくは、前記端末デバイスは、さらに複数の能力グループ及び各能力グループに含まれた能力を含む能力グループ化情報を取得する取得ユニット５２０を含む。
【００７７】
好ましくは、前記取得ユニット５２０は具体的に、前記送受信ユニット５１０はネットワークデバイスから送信された前記能力グループ化情報を受信し、又は、前記端末デバイスに事前に記憶された前記能力グループ化情報を取得するために用いられる。
【００７８】
好ましくは、前記送受信ユニット５１０は具体的に、前記ネットワークデバイスから送信された非アクセス層ＮＡＳシグナリング又はアクセス層ＡＳシグナリングを受信するために用いられ、前記ＮＡＳシグナリング又はＡＳシグナリングには前記能力グループ化情報が携帯される。
【００７９】
好ましくは、前記送受信ユニット５１０はさらに、前記ネットワークデバイスに、少なくとも１つの能力を含む付加能力の情報、及び前記少なくとも１つの能力グループのもとに前記付加能力を増加又は減少させるように前記端末デバイスに指示する付加指示情報を報告するために用いられる。
【００８０】
好ましくは、前記送受信ユニット５１０はさらに、前記ネットワークデバイスから送信された、前記端末デバイスが前記少なくとも１つの能力グループの識別子を報告することを指示する能力要求メッセージを受信するために用いられる。
【００８１】
好ましくは、前記少なくとも１つの能力グループは、それぞれ、キャリアアグリゲーションにおける２つのキャリアアグリゲーション能力２ＣＣ  ＣＡ、キャリアアグリゲーションにおける３つのキャリアアグリゲーション能力３ＣＣ  ＣＡ、キャリアアグリゲーションにおける４つのキャリアアグリゲーション能力４ＣＣ  ＣＡ、周波数範囲ＦＲ１、周波数範囲ＦＲ２、増強型マルチメディアブロードキャストマルチキャストｅＭＢＭＳ能力、車両のインターネットＶ２Ｘ通信能力及びビーム伝送能力のうち少なくとも１つの能力を含む。
【００８２】
理解すべきことは、該端末デバイス５００は上記方法３００において端末デバイスにより実行される対応する操作を実行してもよく、簡単化するために、ここでその説明を省略する。
【００８３】
図６は本願の実施例によるネットワークデバイス６００の概略ブロック図である。図６に示すように、該ネットワークデバイス６００は、端末デバイスの報告する、前記端末デバイスのサポートする能力の属する少なくとも１つの能力グループの識別子を受信する送受信ユニット６１０を含む。
【００８４】
そのため、端末デバイスのサポート可能な様々な能力をグループ化し、端末デバイスは自身のサポートする能力の属する能力グループの識別子をネットワークデバイスに報告することにより、ネットワークデバイスは受信した能力グループの識別子に基づいて端末デバイスのサポートする能力を確定する。端末デバイスはサポートする各能力情報をそれぞれネットワークデバイスに報告する必要がないため、端末デバイスの能力情報を報告する時に生じたシグナリングオーバーヘッドを低減させる。
【００８５】
好ましくは、前記ネットワークデバイスは、さらに前記少なくとも１つの能力グループに基づいて前記端末デバイスのサポートする能力を確定する処理ユニット６２０をさらに含む。
【００８６】
好ましくは、前記送受信ユニット６１０はさらに、前記端末デバイスに、複数の能力グループ及び各能力グループに含まれる能力を含む能力グループ化情報を送信するために用いられる。
【００８７】
好ましくは、前記送受信ユニット６１０は具体的に、前記端末デバイスにＮＡＳシグナリング又はＡＳシグナリングを送信するために用いられ、前記ＮＡＳシグナリング又はＡＳシグナリングには前記能力グループ化情報が携帯される。
【００８８】
好ましくは、前記送受信ユニット６１０はさらに、前記端末デバイスが報告した、少なくとも１つの能力を含む付加能力の情報、及び前記少なくとも１つの能力グループのもとに前記付加能力を増加又は減少させるように前記端末デバイスに指示する付加指示情報を受信するために用いられる。
【００８９】
好ましくは、前記送受信ユニット６１０はさらに、前記端末デバイスに、前記端末デバイスが前記少なくとも１つの能力グループの識別子を報告することを指示する能力要求メッセージを送信するために用いられる。
【００９０】
好ましくは、前記能力グループは、キャリアアグリゲーションにおける２つのキャリアアグリゲーション能力２ＣＣ  ＣＡ、キャリアアグリゲーションにおける３つのキャリアアグリゲーション能力３ＣＣ  ＣＡ、キャリアアグリゲーションにおける４つのキャリアアグリゲーション能力４ＣＣ  ＣＡ、周波数範囲ＦＲ１、周波数範囲ＦＲ２、増強型マルチメディアブロードキャストマルチキャストｅＭＢＭＳ能力、車両のインターネットＶ２Ｘ通信能力及びビーム伝送能力のうち少なくとも１つの能力を含む。
【００９１】
理解すべきことは、該ネットワークデバイス６００は上記方法３００においてネットワークデバイスにより実行される対応する操作を実行してもよく、簡単化するために、ここでその説明を省略する。
【００９２】
図７は本願の実施例により提供される通信デバイス７００の概略構成図である。図７に示す通信デバイス７００は、本願の実施例における方法を実現するために、メモリからコンピュータプログラムを呼び出して実行することができるプロセッサ７１０を含む。
【００９３】
好ましくは、図７に示すように、通信デバイス７００はさらにメモリ７２０を含んでもよい。ここで、本願の実施例における方法を実現するために、プロセッサ７１０はメモリ７２０からコンピュータプログラムを呼び出して実行することができる。
【００９４】
ここで、メモリ７２０はプロセッサ７１０から独立した単独なデバイスであってもよく、プロセッサ７１０内に集積されてもよい。
【００９５】
好ましくは、図７に示すように、通信デバイス７００はさらにトランシーバー７３０を含んでもよく、プロセッサ７１０は該トランシーバー７３０がその他のデバイスと通信することを制御することができ、具体的に、その他のデバイスに情報又はデータを送信し、又はその他のデバイスから送信された情報又はデータを受信することができる。
【００９６】
ここで、トランシーバー７３０はトランスミッターとレシーバーを含んでもよい。トランシーバー７３０はさらにアンテナを含んでもよく、アンテナの数は１つ又は複数であってもよい。
【００９７】
好ましくは、該通信デバイス７００は、具体的に、本願の実施例にかかる端末デバイスであってもよく、該通信デバイス７００は本願の実施例にかかる各方法において端末デバイスにより実現される該当のプロセスを実現することができ、簡単化するために、ここでその説明を省略する。
【００９８】
好ましくは、該通信デバイス７００は、具体的に、本願の実施例にかかるネットワークデバイスであってもよく、該通信デバイス７００は本願の実施例にかかる各方法においてネットワークデバイスにより実現される該当のプロセスを実現することができ、簡単化するために、ここでその説明を省略する。
【００９９】
図８は本願の実施例にかかるチップの概略構成図である。図８に示すチップ８００は、本願の実施例における方法を実現するために、メモリからコンピュータプログラムを呼び出して実行することができるプロセッサ８１０を含む。
【０１００】
好ましくは、図８に示すように、チップ８００はさらにメモリ８２０を含んでもよい。ここで、本願の実施例における方法を実現するために、プロセッサ８１０はメモリ８２０からコンピュータプログラムを呼び出して実行することができる。
【０１０１】
ここで、メモリ８２０はプロセッサ８１０から独立した単独なデバイスであってもよく、プロセッサ８１０内に集積されてもよい。
【０１０２】
好ましくは、該チップ８００はさらに入力インターフェース８３０を含んでもよい。ここで、プロセッサ８１０は該入力インターフェース８３０がその他のデバイス又はチップと通信することを制御することができ、具体的に、その他のデバイス又はチップから送信された情報又はデータを取得することができる。
【０１０３】
好ましくは、該チップ８００はさらに出力インターフェース８４０を含んでもよい。ここで、プロセッサ８１０は該出力インターフェース８４０がその他のデバイス又はチップと通信することを制御することができ、具体的に、その他のデバイス又はチップに情報又はデータを出力することができる。
【０１０４】
好ましくは、該チップは本願の実施例における端末デバイスに適用され、該チップは本願の実施例にかかる各方法において端末デバイスにより実現される該当のプロセスを実現することができ、簡単化するために、ここでその説明を省略する。
【０１０５】
好ましくは、該チップは本願の実施例におけるネットワークデバイスに適用され、該チップは本願の実施例にかかる各方法においてネットワークデバイスにより実現される該当のプロセスを実現することができ、簡単化するために、ここでその説明を省略する。
【０１０６】
理解すべきことは、本願の実施例に言及されたチップはシステムオンチップ、システムチップ、チップシステム又はチップ上のシステムチップ等と呼ぶこともできる。
【０１０７】
理解すべきことは、本願の実施例にかかるプロセッサは集積回路チップであり、信号の処理機能を有する可能性がある。実現プロセスにおいて、上記方法の実施例の各ステップはプロセッサにおけるハードウェアの論理集積回路又はソフトウェア形態の命令により実行されてもよい。上記プロセッサは汎用プロセッサ、デジタル信号プロセッサ（Ｄｉｇｉｔａｌ  Ｓｉｇｎａｌ  Ｐｒｏｃｅｓｓｏｒ、ＤＳＰ）、特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ、ＡＳＩＣ）、フィールドプログラマブルゲートアレイ（Ｆｉｅｌｄ  Ｐｒｏｇｒａｍｍａｂｌｅ  Ｇａｔｅ  Ａｒｒａｙ、ＦＰＧＡ）又はその他のプログラム可能なロジックデバイス、ディスクリートゲート又はトランジスタロジックデバイス、ディスクリートハードウェアコンポーネントであってもよい。本願の実施例に開示された各方法、ステップ及び論理ブロック図を実現又は実行することができる。汎用プロセッサはマイクロプロセッサであってもよく、又は該プロセッサは任意の従来のプロセッサ等であってもよい。本願の実施例に開示された方法のステップに合わせてハードウェアデコードプロセッサにより実行し完成し、又はデコードプロセッサにおけるハードウェア及びソフトウェアモジュールを組み合わせて実行し完了することにより直接現れる。ソフトウェアモジュールはランダムメモリ、フラッシュメモリ、読み取り専用メモリ、プログラマル読み取り専用メモリ又は電気的書き換え可能なプログラマブルメモリ、レジスタ等の当該分野の従来の記憶媒体に配置することができる。該記憶媒体はメモリに配置され、プロセッサがメモリの情報を読み取り、そのハードウェアに合わせて上記方法のステップを完了させる。
【０１０８】
理解可能なことは、本願の実施例におけるメモリは揮発性メモリ又は非揮発性メモリであってもよく、又は揮発性及び非揮発性メモリの両者を含んでもよい。ただし、非揮発性メモリは読み取り専用メモリ（Ｒｅａｄ−Ｏｎｌｙ  Ｍｅｍｏｒｙ、ＲＯＭ）、プログラマル読み取り専用メモリ（Ｐｒｏｇｒａｍｍａｂｌｅ  ＲＯＭ、ＰＲＯＭ）、消去可能なプログラマル読み取り専用メモリ（Ｅｒａｓａｂｌｅ  ＰＲＯＭ、ＥＰＲＯＭ）、電気的消去可能なプログラマル読み取り専用メモリ（Ｅｌｅｃｔｒｉｃａｌｌｙ  ＥＰＲＯＭ、ＥＥＰＲＯＭ）又はフラッシュメモリであってもよい。揮発性メモリはランダムアクセスメモリ（Ｒａｎｄｏｍ  Ａｃｃｅｓｓ  Ｍｅｍｏｒｙ、ＲＡＭ）であってもよく、外部キャッシュとして用いられる。制限的ではなく例示的な説明により、様々な形態のＲＡＭは使用可能となり、例えばスタティックランダムアクセスメモリ（Ｓｔａｔｉｃ  ＲＡＭ、ＳＲＡＭ）、ダイナミックランダムアクセスメモリ（Ｄｙｎａｍｉｃ  ＲＡＭ、ＤＲＡＭ）、同期式ダイナミックランダムアクセスメモリ（Ｓｙｎｃｈｒｏｎｏｕｓ  ＤＲＡＭ、ＳＤＲＡＭ）、ダブルデータレート同期式ダイナミックランダムアクセスメモリ（Ｄｏｕｂｌｅ  Ｄａｔａ  Ｒａｔｅ  ＳＤＲＡＭ、ＤＤＲ  ＳＤＲＡＭ）、増強型同期式ダイナミックランダムアクセスメモリ（Ｅｎｈａｎｃｅｄ  ＳＤＲＡＭ、ＥＳＤＲＡＭ）、同期式リンクダイナミックランダムアクセスメモリ（Ｓｙｎｃｈｌｉｎｋ  ＤＲＡＭ、ＳＬＤＲＡＭ）及びダイレクトラムバスランダムアクセスメモリ（Ｄｉｒｅｃｔ  Ｒａｍｂｕｓ  ＲＡＭ、ＤＲ  ＲＡＭ）が使用可能である。注意すべきことは、本明細書に記載のシステムと方法のメモリはこれら及び任意のその他の適切なタイプのメモリを含むがこれらに限定されないことを目的とする。
【０１０９】
理解すべきことは、上記メモリは例示的なものであり限定的な説明ではなく、例えば、本願の実施例におけるメモリは、さらにスタティックランダムアクセスメモリ（ｓｔａｔｉｃ  ＲＡＭ、ＳＲＡＭ）、ダイナミックランダムアクセスメモリ（ｄｙｎａｍｉｃ  ＲＡＭ、ＤＲＡＭ）、同期式ダイナミックランダムアクセスメモリ（ｓｙｎｃｈｒｏｎｏｕｓ  ＤＲＡＭ、ＳＤＲＡＭ）、ダブルデータレート同期式ダイナミックランダムアクセスメモリ（ｄｏｕｂｌｅ  ｄａｔａ  ｒａｔｅ  ＳＤＲＡＭ、ＤＤＲ  ＳＤＲＡＭ）、増強型同期式ダイナミックランダムアクセスメモリ（ｅｎｈａｎｃｅｄ  ＳＤＲＡＭ、ＥＳＤＲＡＭ）、同期式リンクダイナミックランダムアクセスメモリ（ｓｙｎｃｈ  ｌｉｎｋ  ＤＲＡＭ、ＳＬＤＲＡＭ）及びダイレクトラムバスランダムアクセスメモリ（Ｄｉｒｅｃｔ  Ｒａｍｂｕｓ  ＲＡＭ、ＤＲ  ＲＡＭ）等であってもよい。即ち、本願の実施例におけるメモリはこれら及び任意のその他の適切なタイプのメモリを含むがこれらに限定されないことを目的とする。
【０１１０】
図９は本願の実施例により提供される通信システム９００の概略ブロック図である。図９に示すように、該通信システム９００は端末デバイス９１０とネットワークデバイス９２０を含む。
【０１１１】
該端末デバイス９１０は、前記端末デバイスのサポートする能力の属する少なくとも１つの能力グループの識別子を報告するために用いられる。
【０１１２】
該ネットワークデバイス９２０は、端末デバイスの報告する、前記端末デバイスのサポートする能力の属する少なくとも１つの能力グループの識別子を受信するために用いられる。
【０１１３】
該端末デバイス９１０は上記方法３００において端末デバイスにより実現される対応する機能の実現に適用されてもよく、さらに、該端末デバイス９１０の構成は図４の端末デバイス４００に示されてもよく、簡単化するために、ここでその説明を省略する。
【０１１４】
該ネットワークデバイス９２０は上記方法３００においてネットワークデバイスにより実現される対応する機能の実現に適用されてもよく、さらに、該ネットワークデバイス９２０の構成は図５のネットワークデバイス５００に示されてもよく、簡単化するために、ここでその説明を省略する。
【０１１５】
本願の実施例は、さらに、コンピュータプログラムを記憶するコンピュータ読み取り可能な記憶媒体を提供する。好ましくは、該コンピュータ読み取り可能な記憶媒体は本願の実施例におけるネットワークデバイスに適用されてもよく、該コンピュータプログラムはコンピュータに本願の実施例の各方法においてネットワークデバイスにより実現される該当のプロセスを実行させるが、簡単化するために、ここでその説明を省略する。好ましくは、該コンピュータ読み取り可能な記憶媒体は本願の実施例における端末デバイスに適用されてもよく、該コンピュータプログラムはコンピュータに本願の実施例の各方法において端末デバイスにより実現される該当のプロセスを実行させるが、簡単化するために、ここでその説明を省略する。
【０１１６】
本願の実施例は、さらに、コンピュータプログラム命令を含むコンピュータプログラム製品を提供する。好ましくは、該コンピュータプログラム製品は本願の実施例におけるネットワークデバイスに適用されてもよく、該コンピュータプログラム命令はコンピュータに本願の実施例の各方法においてネットワークデバイスにより実現される該当のプロセスを実行させるが、簡単化するために、ここでその説明を省略する。好ましくは、該コンピュータプログラム製品は本願の実施例における端末デバイスに適用されてもよく、該コンピュータプログラム命令はコンピュータに本願の実施例の各方法において端末デバイスにより実現される該当のプロセスを実行させるが、簡単化するために、ここでその説明を省略する。
【０１１７】
本願の実施例は、さらに、コンピュータプログラムを提供する。好ましくは、該コンピュータプログラムは本願の実施例におけるネットワークデバイスに適用されてもよく、該コンピュータプログラムがコンピュータで実行される時、コンピュータに本願の実施例の各方法においてネットワークデバイスにより実現される該当のプロセスを実行させるが、簡単化するために、ここでその説明を省略する。好ましくは、該コンピュータプログラムは本願の実施例における端末デバイスに適用されてもよく、該コンピュータプログラムがコンピュータで実行される時、コンピュータに本願の実施例の各方法において端末デバイスにより実現される該当のプロセスを実行させるが、簡単化するために、ここでその説明を省略する。
【０１１８】
理解すべきことは、本明細書における用語「システム」及び「ネットワーク」は本明細書において常に同じ意味で使用される。本明細書における用語「及び／又は」は、関連対象の関連関係を説明することに過ぎず、３つの関係が存在することを示す。例えば、Ａ及び／又はＢは、Ａが単独で存在する、ＡとＢが同時に存在する、Ｂが単独で存在するという３つのケースを示す。また、本明細書における記号「／」は、一般的に前後の関連付けられたオブジェクトが「又は」の関係であることを示す。
【０１１９】
また、理解すべきことは、本発明の実施例において、「Ａに相応（対応）するＢ」はＢがＡに関連し、Ａに基づいてＢを決定することができることを示す。さらに理解すべきことは、Ａに基づいてＢを決定することはＡに基づいてＢを決定することのみを意味せず、Ａ及び／又はその他の情報に基づいてＢを決定してもよい。
【０１２０】
当業者であれば、本明細書により開示された実施例に合わせて説明された各例のユニット及びアルゴリズムステップは、電子ハードウェア、又はコンピュータソフトウェアと電子ハードウェアとの組み合わせにより実現できることを気付くことができる。これらの機能がハードウェアそれともソフトウェアの方式により実行されるかは、技術的解決手段の特定の応用及び設計の拘束条件に依存する。当業者であればそれぞれの特定の応用に対して異なる方法を用いて説明される機能を実現できるが、このような実現が本願の範囲を超えると考えられるべきではない。
【０１２１】
当業者であれば明らかに理解できるように、説明を便利且つ簡潔にするために、上記システム、装置及びユニットの具体的な動作プロセスは、前記方法の実施例における該当のプロセスを参照することができ、ここでその説明を省略する。
【０１２２】
本願により提供されるいくつかの実施例において、理解すべきことは、開示されたシステム、装置及び方法は、その他の方式により実現できる。例えば、上記装置の実施例は例示的なものに過ぎず、例えば、該ユニットの分割は、論理機能の分割に過ぎず、実際に実現する時に別の分割方式があってもよく、例えば複数のユニット又はアセンブリは組み合わせられてもよく、又は別のシステムに集積されてもよく、又はいくつかの特徴を無視してもよく、又は実行しなくてもよい。一方、表示又は検討されている相互結合又は直接結合又は通信接続はいくつかのインターフェース、装置又はユニットによる間接結合又は通信接続であってもよく、電気的、機械的又はその他の形態であってもよい。
【０１２３】
前述の分離部品として説明するユニットは、物理的に分離であってもよく、そうでなくてもよい。ユニット表示の部品として物理ユニットであってもよく、そうでなくてもよい。１つの場所に位置してもよく、又は複数のネットワークユニットに分布されてもよい。実際の必要に応じてその一部又は全てのユニットを選択して本実施例の方法の目的を実現することができる。
【０１２４】
また、本願の各実施例における各機能ユニットは１つの処理ユニットに集積されてもよく、各ユニットの単独の物理的存在であってもよく、２個以上のユニットが１個のユニットに集積されてもよい。
【０１２５】
前記機能はソフトウェア機能ユニットの形態により実現され、独立した製品として販売又は使用される場合、コンピュータ読み取り可能な記憶媒体に記憶することができる。このような理解のもとに、本願の技術的解決手段は、本質的に又は従来技術に貢献する部分又は該技術的解決手段の一部はソフトウェア製品の形態により表現でき、該コンピュータソフトウェア製品は記憶媒体内に記憶され、１台のコンピュータデバイス（パーソナルコンピュータ、サーバー、又はネットワークデバイス等であってもよい）に本願の各実施例に記載の方法の全て又は一部のステップを実行させるための複数の命令を含む。前述の記憶媒体は、ＵＳＢ、モバイルハードディスク、読み取り専用メモリ（Ｒｅａｄ−Ｏｎｌｙ  Ｍｅｍｏｒｙ、ＲＯＭ）、ランダムアクセスメモリ（Ｒａｎｄｏｍ  Ａｃｃｅｓｓ  Ｍｅｍｏｒｙ、ＲＡＭ）、磁気ディスク又は光ディスク等の様々なプログラムコードを記憶できる媒体を含む。
【０１２６】
以上の説明は本願の具体的な実施形態であり、本願の保護範囲はこれに限定されず、当業者が本願に開示された技術的範囲内で容易に想到できる変更又は置換は、いずれも本願の保護範囲内に含まれるべきである。そのため、本願の保護範囲は特許請求の範囲に準じるべきである。
【図１】
2022501857.tif 000006
【図２】
2022501857.tif 000007
【図３】
2022501857.tif 000008
【図４】
2022501857.tif 000009
【図５】
2022501857.tif 000010
【図６】
2022501857.tif 000011
【図７】
2022501857.tif 000012
【図８】
2022501857.tif 000013
【図９】
2022501857.tif 000014
【手続補正書】
【提出日】令和3年2月10日(2021.2.10)
【手続補正１】
【補正対象書類名】特許請求の範囲
【補正対象項目名】全文
【補正方法】変更
【補正の内容】
【特許請求の範囲】
【請求項１】
端末デバイスは、前記端末デバイスのサポートする能力の属する少なくとも１つの能力グループの識別子をネットワークデバイスに報告することを含む、
ことを特徴とする能力報告の方法。
【請求項２】
前記端末デバイスは、複数の能力グループ及び各能力グループに含まれる能力を含む、能力グループ化情報を取得することをさらに含む、
ことを特徴とする請求項１に記載の方法。
【請求項３】
前記端末デバイスが能力グループ化情報を取得することは、
前記端末デバイスがネットワークデバイスから送信された前記能力グループ化情報を受信すること、又は、
前記端末デバイスが、前記端末デバイスに事前に記憶された前記能力グループ化情報を取得すること、
を含む、ことを特徴とする請求項２に記載の方法。
【請求項４】
前記端末デバイスがネットワークデバイスから送信される前記能力グループ化情報を受信することは、
前記端末デバイスが前記ネットワークデバイスから送信される非アクセス層ＮＡＳシグナリング又はアクセス層ＡＳシグナリングを受信することを含み、
前記ＮＡＳシグナリング又はＡＳシグナリングには前記能力グループ化情報が携帯されている、
ことを特徴とする請求項３に記載の方法。
【請求項５】
前記端末デバイスは、少なくとも１つの能力を含む付加能力の情報、及び前記少なくとも１つの能力グループのもとに前記付加能力を増加又は減少させるように前記端末デバイスに指示する付加指示情報を、前記ネットワークデバイスに報告することをさらに含む、
ことを特徴とする請求項１〜４のいずれか１項に記載の方法。
【請求項６】
前記端末デバイスは、前記ネットワークデバイスから送信される、前記少なくとも１つの能力グループの識別子を報告するように前記端末デバイスに指示する能力要求メッセージを受信することをさらに含む、
ことを特徴とする請求項１〜５のいずれか１項に記載の方法。
【請求項７】
前記少なくとも１つの能力グループは、それぞれ、キャリアアグリゲーションにおける２つのキャリアアグリゲーション能力２ＣＣ  ＣＡ、キャリアアグリゲーションにおける３つのキャリアアグリゲーション能力３ＣＣ  ＣＡ、キャリアアグリゲーションにおける４つのキャリアアグリゲーション能力４ＣＣ  ＣＡ、周波数範囲ＦＲ１、周波数範囲ＦＲ２、増強型マルチメディアブロードキャストマルチキャストｅＭＢＭＳ能力、車両のインターネットＶ２Ｘ通信能力及びビーム伝送能力のうち少なくとも１つの能力を含む、
ことを特徴とする請求項１〜６のいずれか１項に記載の方法。
【請求項８】
ネットワークデバイスは、端末デバイスが報告した、前記端末デバイスのサポートする能力の属する少なくとも１つの能力グループの識別子を受信することを含む、
ことを特徴とする能力報告の方法。
【請求項９】
前記ネットワークデバイスが前記少なくとも１つの能力グループの識別子に基づいて前記端末デバイスのサポートする能力を確定することをさらに含む、
ことを特徴とする請求項１に記載の方法。
【請求項１０】
前記ネットワークデバイスは、複数の能力グループ及び各能力グループに含まれる能力を含む能力グループ化情報を前記端末デバイスに送信することをさらに含む、
ことを特徴とする請求項８又は９に記載の方法。
【請求項１１】
前記ネットワークデバイスが前記端末デバイスに能力グループ化情報を送信することは、
前記ネットワークデバイスが前記端末デバイスに非アクセス層ＮＡＳシグナリング又はアクセス層ＡＳシグナリングを送信することを含み、
前記ＮＡＳシグナリング又はＡＳシグナリングには前記能力グループ化情報が携帯されている、
ことを特徴とする請求項１０に記載の方法。
【請求項１２】
前記ネットワークデバイスは、前記端末デバイスが報告した、少なくとも１つの能力を含む付加能力の情報、及び前記少なくとも１つの能力グループのもとに前記付加能力を増加又は減少させるように前記端末デバイスに指示する付加指示情報を受信することをさらに含む、
ことを特徴とする請求項８〜１１のいずれか１項に記載の方法。
【請求項１３】
前記能力グループは、キャリアアグリゲーションにおける２つのキャリアアグリゲーション能力２ＣＣ  ＣＡ、キャリアアグリゲーションにおける３つのキャリアアグリゲーション能力３ＣＣ  ＣＡ、キャリアアグリゲーションにおける４つのキャリアアグリゲーション能力４ＣＣ  ＣＡ、周波数範囲ＦＲ１、周波数範囲ＦＲ２、増強型マルチメディアブロードキャストマルチキャストｅＭＢＭＳ能力、車両のインターネットＶ２Ｘ通信能力及びビーム伝送能力のうち少なくとも１つの能力を含む、
ことを特徴とする請求項８〜１２のいずれか１項に記載の方法。
【請求項１４】
請求項１〜７のいずれか１項に記載の方法で構成される送受信ユニットを含む、
ことを特徴とする端末デバイス。
【請求項１５】
請求項８〜１３のいずれか１項に記載の方法で構成される送受信ユニットを含む、
ことを特徴とする端末デバイス。
【手続補正２】
【補正対象書類名】明細書
【補正対象項目名】全文
【補正方法】変更
【補正の内容】
【発明の詳細な説明】
【技術分野】
【０００１】
本願の実施例は、通信分野に関し、より具体的には、能力報告（ｃａｐａｂｉｌｉｔｙ  ｒｅｐｏｒｔ）の方法及びデバイスに関する。
【背景技術】
【０００２】
端末デバイスは、付着又はトラッキングエリアアップデート（Ｔｒａｃｋｉｎｇ  Ａｒｅａ  Ｕｐｄａｔｅ、ＴＡＵ）等、ネットワークにアクセスする時、ネットワークデバイスに端末デバイスの能力情報が記憶されていない場合、端末デバイスはネットワークデバイスに自身の能力情報を報告する必要がある。ネットワークは、端末デバイスの能力情報を、例えば移動管理エンティティ（Ｍｏｂｉｌｉｔｙ  Ｍａｎａｇｅｍｅｎｔ  Ｅｎｔｉｔｙ、ＭＭＥ）、認証管理機能（Ａｕｔｈｅｎｔｉｃａｔｉｏｎ  Ｍａｎａｇｅｍｅｎｔ  Ｆｕｎｃｔｉｏｎ、ＡＭＦ）エンティティ等のコアネットワークエンティティに記憶することができる。コアネットワークは端末デバイスが次回アクセスする時に対応する能力をアクセスネットワークに伝送し、それにより端末デバイスが自身の能力情報を繰り返し報告することを回避する。
【０００３】
しかしながら、端末デバイスの能力情報の報告は極めて大きいシグナリングオーバーヘッドを生じてしまうため、如何に端末デバイスの能力情報を報告するシグナリングオーバーヘッドを減少させることは、解決すべき問題になる。
【発明の概要】
【０００４】
第１態様は、端末デバイスのサポートする能力の属する少なくとも１つの能力グループの識別子を、前記端末デバイスがネットワークデバイスに報告することを含む能力報告の方法を提供する。
【０００５】
第２態様は、端末デバイスの報告する、前記端末デバイスのサポートする能力の属する少なくとも１つの能力グループの識別子を、ネットワークデバイスが受信することを含む能力報告の方法を提供する。
【０００６】
第３態様は、上記第１態様又は第１態様の任意の選択可能な実施形態における方法を実行可能に構成される送受信ユニットを含む端末デバイスを提供する。
【０００７】
第４態様は、上記第２態様又は第２態様の任意の選択可能な実施形態における方法を実行可能に構成される送受信ユニットを含むネットワークデバイスを提供する。
【発明の効果】
【０００８】
上記技術的解決手段に基づいて、端末デバイスは、自身のサポートする能力の属する能力グループの識別子をネットワークデバイスに報告し、それによりネットワークデバイスは、受信した能力グループの識別子に基づいて端末デバイスのサポートする能力を確定する。端末デバイスは、サポートする各能力情報をそれぞれネットワークデバイスに報告する必要がなく、自身のサポートする能力の属する能力グループの識別子をネットワークデバイスに報告することができるため、端末デバイスの能力情報を報告する時に生じたシグナリングオーバーヘッドを低減させる。
【図面の簡単な説明】
【０００９】
【図１】本願の実施例による無線通信システムを示す図である。
【図２】端末デバイスの能力情報を報告するプロセスの相関チャートである。
【図３】本願の実施例にかかる能力報告の方法のプロセスの相関チャートである。
【図４】本願の実施例にかかる付加能力報告を示す図である。
【図５】本願の実施例にかかる端末デバイスの概略ブロック図である。
【図６】本願の実施例にかかるネットワークデバイスの概略ブロック図である。
【図７】本願の実施例にかかる通信デバイスの概略構成図である。
【図８】本願の実施例にかかるチップの概略構成図である。
【図９】本願の実施例にかかる通信システムの概略構成図である。
【発明を実施するための形態】
【００１０】
以下、本願の実施例における図面に合わせて、本願の実施例における技術的解決手段を説明する。
【００１１】
本願の実施例にかかる技術的解決手段は様々な通信システムに適用でき、例えば、グローバル・モバイル・コミュニケーション（Ｇｌｏｂａｌ  Ｓｙｓｔｅｍ  ｏｆ  Ｍｏｂｉｌｅ  ｃｏｍｍｕｎｉｃａｔｉｏｎ、ＧＳＭ）システム、符号分割多元接続（Ｃｏｄｅ  Ｄｉｖｉｓｉｏｎ  Ｍｕｌｔｉｐｌｅ  Ａｃｃｅｓｓ、ＣＤＭＡ）システム、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ、ＷＣＤＭＡ）システム、汎用パケット無線サービス（Ｇｅｎｅｒａｌ  Ｐａｃｋｅｔ  Ｒａｄｉｏ  Ｓｅｒｖｉｃｅ、ＧＰＲＳ）、ロングタームエボリューション（Ｌｏｎｇ  Ｔｅｒｍ  Ｅｖｏｌｕｔｉｏｎ、ＬＴＥ）システム、ＬＴＥ周波数分割複信（Ｆｒｅｑｕｅｎｃｙ  Ｄｉｖｉｓｉｏｎ  Ｄｕｐｌｅｘ、ＦＤＤ）システム、ＬＴＥ時分割複信（Ｔｉｍｅ  Ｄｉｖｉｓｉｏｎ  Ｄｕｐｌｅｘ、ＴＤＤ）、ロングタームエボリューションアドバンス（Ａｄｖａｎｃｅｄ  ｌｏｎｇ  ｔｅｒｍ  ｅｖｏｌｕｔｉｏｎ、ＬＴＥ−Ａ）システム、新しい無線（Ｎｅｗ  Ｒａｄｉｏ、ＮＲ）システム、ＮＲシステムのエボリューションシステム、アンライセンスバンドのＬＴＥ（ＬＴＥ−ｂａｓｅｄ  ａｃｃｅｓｓ  ｔｏ  ｕｎｌｉｃｅｎｓｅｄ  ｓｐｅｃｔｒｕｍ、ＬＴＥ−Ｕ）システム、アンライセンスバンドのＮＲ（ＮＲ−ｂａｓｅｄ  ａｃｃｅｓｓ  ｔｏ  ｕｎｌｉｃｅｎｓｅｄ  ｓｐｅｃｔｒｕｍ、ＮＲ−Ｕ）システム、ユニバーサル・モバイル・テレコミュニケーション・システム（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ、ＵＭＴＳ）、ワイマックス（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ、ＷｉＭＡＸ）通信システム、無線ローカルエリアネットワーク（Ｗｉｒｅｌｅｓｓ  Ｌｏｃａｌ  Ａｒｅａ  Ｎｅｔｗｏｒｋｓ、ＷＬＡＮ）、無線フィディリティー（Ｗｉｒｅｌｅｓｓ  Ｆｉｄｅｌｉｔｙ、ＷｉＦｉ）、次世帯通信システム又はその他の通信システム等である。
【００１２】
一般的には、従来の通信システムのサポートする接続の数は有限であり、実現しやすいが、通信技術の発展に伴い、移動通信システムは従来の通信をサポートするだけでなく、例えば、デバイスツーデバイス（Ｄｅｖｉｃｅ  ｔｏ  Ｄｅｖｉｃｅ、Ｄ２Ｄ）通信、マシンツーマシン（Ｍａｃｈｉｎｅ  ｔｏ  Ｍａｃｈｉｎｅ、Ｍ２Ｍ）通信、マシンタイプの通信（Ｍａｃｈｉｎｅ  Ｔｙｐｅ  Ｃｏｍｍｕｎｉｃａｔｉｏｎ、ＭＴＣ）及び車両間（Ｖｅｈｉｃｌｅ  ｔｏ  Ｖｅｈｉｃｌｅ、Ｖ２Ｖ）通信等もサポートする。本願の実施例はこれらの通信システムにも適用される。
【００１３】
好ましくは、本願の実施例における通信システムはキャリアアグリゲーション（Ｃａｒｒｉｅｒ  Ａｇｇｒｅｇａｔｉｏｎ、ＣＡ）の場面に適用されてもよく、二重接続（Ｄｕａｌ  Ｃｏｎｎｅｃｔｉｖｉｔｙ、ＤＣ）の場面に適用されてもよく、又は独立（Ｓｔａｎｄａｌｏｎｅ、ＳＡ）したネットワーク構成の場面に適用されてみよい。
【００１４】
例示的に、本願の実施例に適用される通信システム１００は図１に示す。該無線通信システム１００はネットワークデバイス１１０を含んでもよい。ネットワークデバイス１１０は端末デバイスと通信するデバイスであってもよい。ネットワークデバイス１１０は特定の地理的エリアに通信カバレッジを提供してもよく、該カバレッジエリアに位置する端末デバイスと通信してもよい。好ましくは、該ネットワークデバイス１００はＧＳＭシステム又はＣＤＭＡシステム内の基地局（Ｂａｓｅ  Ｔｒａｎｓｃｅｉｖｅｒ  Ｓｔａｔｉｏｎ、ＢＴＳ）でもよく、ＷＣＤＭＡシステムにおける基地局（ＮｏｄｅＢ、ＮＢ）でもよく、さらにＬＴＥシステムにおけるエボリューション型基地局（Ｅｖｏｌｕｔｉｏｎａｌ  Ｎｏｄｅ  Ｂ、ｅＮＢ又はｅＮｏｄｅＢ）でもよく、又はＮＲシステムにおけるネットワーク側デバイスであり、又はクラウド・ワイヤレス・アクセス・ネットワーク（Ｃｌｏｕｄ  Ｒａｄｉｏ  Ａｃｃｅｓｓ  Ｎｅｔｗｏｒｋ、ＣＲＡＮ）における無線コントローラであり、又は該ネットワークデバイスはリレーステーション、アクセスポイント、車載デバイス、ウェアラブルデバイス、次世帯ネットワークにおけるネットワーク側デバイス又は将来進化する公衆陸上モバイルネットワーク（Ｐｕｂｌｉｃ  Ｌａｎｄ  Ｍｏｂｉｌｅ  Ｎｅｔｗｏｒｋ、ＰＬＭＮ）におけるネットワークデバイス等であってもよい。
【００１５】
該無線通信システム１００はさらにネットワークデバイス１１０のカバレッジ範囲内に位置する少なくとも１つの端末デバイス１２０を含む。ここで用いられる「端末デバイス」として公衆交換電話ネットワーク（Ｐｕｂｌｉｃ  Ｓｗｉｔｃｈｅｄ  Ｔｅｌｅｐｈｏｎｅ  Ｎｅｔｗｏｒｋｓ、ＰＳＴＮ）、デジタル加入者回線（Ｄｉｇｉｔａｌ  Ｓｕｂｓｃｒｉｂｅｒ  Ｌｉｎｅ、ＤＳＬ）、デジタルケーブル、直接ケーブル経由の接続のような、有線リンク経由の接続、及び／又は別のデータによる接続／ネットワーク、及び／又はセルラーネットワーク、ＤＶＢ−Ｈネットワークのデジタルテレビネットワーク、衛星ネットワーク、ＡＭ−ＦＭブロードキャスト送信器のような無線ローカルエリアネットワーク（Ｗｉｒｅｌｅｓｓ  Ｌｏｃａｌ  Ａｒｅａ  Ｎｅｔｗｏｒｋ、ＷＬＡＮ）等のような無線インターフェース経由の接続、及び／又は別の端末デバイスの、通信信号を受信／送信するように設定された装置、及び／又はモノのインターネット（Ｉｎｔｅｒｎｅｔ  ｏｆ  Ｔｈｉｎｇｓ、ＩｏＴ）デバイスを含むが、これらに限定されない。無線インターフェースを介して通信するように設定された端末デバイスは「無線通信端末」、「無線端末」又は「移動端末」と呼ばれてもよい。
【００１６】
端末デバイス１２０は移動又は固定のものであってもよい。好ましくは、端末デバイス１２０はアクセス端末、ユーザーデバイス（Ｕｓｅｒ  Ｅｑｕｉｐｍｅｎｔ、ＵＥ）、ユーザーユニット、ユーザーステーション、モバイルステーション、移動局、リモートステーション、リモート端末、モバイルデバイス、ユーザー端末、端末、無線通信デバイス、ユーザーエージェント又はユーザー装置であってもよい。アクセス端末はセルラー電話、コードレス電話、セッション開始プロトコル（Ｓｅｓｓｉｏｎ  Ｉｎｉｔｉａｔｉｏｎ  Ｐｒｏｔｏｃｏｌ、ＳＩＰ）電話、ワイヤレス・ローカル・ループ（Ｗｉｒｅｌｅｓｓ  Ｌｏｃａｌ  Ｌｏｏｐ、ＷＬＬ）ステーション、パーソナル・デジタル・アシスタント（Ｐｅｒｓｏｎａｌ  Ｄｉｇｉｔａｌ  Ａｓｓｉｓｔａｎｔ、ＰＤＡ）、無線通信機能を備えるハンドヘルドデバイス、コンピューティングデバイス又は無線モデムに接続されたその他の処理デバイス、車載デバイス、ウェアラブルデバイス、将来５Ｇネットワークにおける端末デバイス又は将来進化するＰＬＭＮにおける端末デバイス等であってもよい。ここで、好ましくは、端末デバイス１２０の間で端末直接接続（Ｄｅｖｉｃｅ  ｔｏ  Ｄｅｖｉｃｅ、Ｄ２Ｄ）通信を行ってもよい。
【００１７】
具体的に、ネットワークデバイス１１０はセルにサービスを提供することができる。端末デバイス１２０は該セルに用いられる伝送リソース（例えば、周波数帯域リソース又はバンドリソース）を介してネットワークデバイス１１０と通信し、該セルはネットワークデバイス１１０（例えば基地局）に対応するセルであってもよく、セルはマクロ基地局に属してもよく、スモールセル（Ｓｍａｌｌ  ｃｅｌｌ）に対応する基地局に属してもよく、ここのスモールセルはメトロセル（Ｍｅｔｒｏ  ｃｅｌｌ）、マイクロセル（Ｍｉｃｒｏ  ｃｅｌｌ）、ピコセル（Ｐｉｃｏ  ｃｅｌｌ）及びフェムトセル（Ｆｅｍｔｏ  ｃｅｌｌ）等を含むことができ、これらのスモールセルはカバレッジ範囲が小さく、送信電力が低いという特徴を有し、高レートのデータ伝送サービスを提供することに適用される。
【００１８】
図１は例示的に１つのネットワークデバイスと２つの端末デバイスを示す。好ましくは、該無線通信システム１００は複数のネットワークデバイスを含んでもよく、各ネットワークデバイスのカバレッジ範囲内にその他の数の端末デバイスを含んでもよく、本願の実施例はこれらに対して限定しない。好ましくは、該無線通信システム１００はさらにネットワークコントローラ、移動管理エンティティ等のその他のネットワークエンティティを含んでもよく、本願の実施例はこれらに対して限定しない。
【００１９】
端末デバイスが付着又はＴＡＵ等、ネットワークにアクセスする時、ネットワークデバイスに端末デバイスの能力情報が記憶されていない場合、端末デバイスがネットワークデバイスに自身の能力情報を報告する必要がある。例えば、図２は端末デバイスの能力情報を報告するプロセスの相関チャートであり、ネットワークデバイスが端末デバイスにＵＥ能力要求メッセージ（ＵＥＣａｐａｂｉｌｉｔｙＥｎｑｕｉｒｙ）を送信することができ、端末デバイスは該能力要求メッセージを受信した後、ネットワークデバイスに自身のＵＥ能力情報（ＵＥＣａｐａｂｉｌｉｔｙＩｎｆｏｒｍａｔｉｏｎ）を報告する。ネットワークは端末デバイスの能力情報を例えばＭＭＥ、ＡＭＦエンティティ等、コアネットワークエンティティに記憶することができる。コアネットワークは端末デバイスが次回アクセスする時に対応する能力情報をアクセスネットワークに伝送し、それにより端末デバイスが自身の能力情報を繰り返し報告することを回避する。しかしながら、端末デバイスの能力は端末デバイスの各ソフトウェア・ハードウェアの能力に関し、非常に複雑であり、シグナリングオーバーヘッドが非常に大きい。
【００２０】
そのため、本願の実施例により、端末デバイスのサポート可能な様々な能力をグループ化し、端末デバイスは自身のサポートする能力の属する能力グループの識別子をネットワークデバイスに報告することにより、ネットワークデバイスは受信した能力グループの識別子に基づいて端末デバイスのサポートする能力を確定する。端末デバイスは、サポートする各能力情報をそれぞれネットワークデバイスに報告する必要がなく、自身のサポートする能力の属する能力グループの識別子をネットワークデバイスに報告することができるため、端末デバイスの能力情報を報告する時に生じたシグナリングオーバーヘッドを低減させる。
【００２１】
図３は本願の実施例にかかる能力報告の方法３００のプロセスの相関チャートである。図３に示す方法は端末デバイス及びネットワークデバイスにより実行され、該端末デバイスは例えば図１に示す端末デバイス１２０であってもよく、該ネットワークデバイス１１０は例えば図１に示すネットワークデバイスであってもよい。図３に示すように、該能力報告の方法３００は以下を含む。
【００２２】
３１０において、端末デバイスのサポートする能力の属する少なくとも１つの能力グループの識別子を、端末デバイスがネットワークデバイスに報告する。
【００２３】
３２０において、ネットワークデバイスは端末デバイスが報告した、端末デバイスのサポートする能力の属する該少なくとも１つの能力グループの識別子を受信する。
【００２４】
具体的に、各能力情報をグループ化することができ、各能力グループは独自の唯一の識別子を有し、該識別子は例えば該能力グループの名称、インデックス等であってもよい。端末デバイスはサポートする能力に基づいてこれらの能力のそれぞれ属する能力グループを確定し、これらの能力グループの識別子をネットワークデバイスに報告し、それによりネットワークデバイスは受信した能力グループの識別子に基づいて該端末デバイスのサポートする能力を確定することができ、これらの識別子が表示する能力グループにおける能力の組み合わせは該端末デバイスのサポートする能力である。
【００２５】
好ましくは、３１０の前に該方法は、さらに端末デバイスが、複数の能力グループ及び各能力グループに含まれる能力を含む能力グループ化情報を取得することを含む。
【００２６】
好ましくは、ネットワークデバイスが能力グループ化情報を端末デバイスに送信してもよく、それにより端末デバイスは、ネットワークデバイスから送信される該能力グループ化情報を受信する。即ち該能力グループ化情報はネットワークデバイスにより構成される。例えば、ネットワークデバイスが非アクセス層（Ｎｏｎ  Ａｃｃｅｓｓ  Ｓｔｒａｔｕｍ、ＮＡＳ）シグナリング又はアクセス層（Ａｃｃｅｓｓ  Ｓｔｒａｔｕｍ、ＡＳ）シグナリングを端末デバイスに送信し、ただし、該ＮＡＳシグナリング又はＡＳシグナリングには該能力グループ化情報が携帯され、それにより端末デバイスはネットワークデバイスから送信された非アクセス層ＮＡＳシグナリング又はアクセス層ＡＳシグナリングを受信することによって該能力グループ化情報を取得する。
【００２７】
又は、好ましくは、端末デバイスは該端末デバイス内に事前に記憶された該能力グループ化情報を取得してもよく、即ち該能力グループ化情報は事前に設定される。例えば、該能力グループ化情報はプロトコルにより事前に約束されてもよい。
【００２８】
本願の実施例において、該複数の能力グループは無線能力（例えば無線アクセスに関連する能力）に対して分割する能力グループを含んでもよく、コアネットワーク能力（例えばコアネットワークに関連する能力）に対して分割する能力グループを含んでもよい。本願の実施例はこれらに対して如何なる限定を行わず、端末デバイスの如何なる能力報告はいずれも本願の実施例に説明された方法を用いることができる。
【００２９】
例えば、該少なくとも１つの能力グループは、それぞれ、キャリアアグリゲーション（Ｃａｒｒｉｅｒ  Ａｇｇｒｅｇａｔｉｏｎ、ＣＡ）能力、増強型マルチメディアブロードキャストマルチキャスト（Ｅｖｏｌｖｅｄ  Ｍｕｌｔｉｍｅｄｉａ  Ｂｒｏａｄｃａｓｔ  Ｍｕｌｔｉｃａｓｔ  Ｓｅｒｖｉｃｅ、ｅＭＢＭＳ）能力、サポートする周波数範囲（Ｆｒｅｑｕｅｎｃｙ  Ｒａｎｇｅ、ＦＲ）、車両のインターネット（Ｖｅｈｉｃｌｅ  ｔｏ  Ｅｖｅｒｙｔｈｉｎｇ、Ｖ２Ｘ）通信能力及びビーム（ｂｅａｍ）伝送能力のうち少なくとも１つの能力を含んでもよい。
【００３０】
キャリアアグリゲーション能力は、例えば２つのキャリアアグリゲーション（Ｃａｒｒｉｅｒ  Ｃｏｍｐｏｎｅｎｔ、ＣＣ）能力（２ＣＣ  ＣＡ）、キャリアアグリゲーションにおける３つのキャリアアグリゲーション能力３ＣＣ  ＣＡ、キャリアアグリゲーションにおける４つのキャリアアグリゲーション４ＣＣ  ＣＡ等を含む。周波数範囲は、例えばＦＲ１（例えば６ＧＨｚ以下の周波数帯）、ＦＲ２（例えばミリ波の周波数帯）等を含む。ビーム伝送能力は例えば８ビーム伝送、４ビーム伝送等をサポートすることを含む。
【００３１】
また、該少なくとも１つの能力グループは、さらにその他の無線能力情報（ＵＥ  Ｒａｄｉｏ  Ｃａｐａｂｉｌｉｔｙ  Ｉｎｆｏｒｍａｔｉｏｎ）及びコアネットワーク能力情報（ＵＥ  Ｃｏｒｅ  Ｎｅｔｗｏｒｋ  Ｃａｐａｂｉｌｉｔｙ  Ｉｎｆｏｒｍａｔｉｏｎ）に対して分割される能力グループを含み、例えば、サポートするアンテナポート、サポートする無線アクセスタイプ（Ｒａｄｉｏ  Ａｃｃｅｓｓ  Ｔｙｐｅ、ＲＡＴ）、パワーレベル、パケットサービスハンドオーバ（Ｐａｃｋｅｔ  Ｓｅｒｖｉｃｅ  Ｈａｎｄｏｖｅｒ、ＰＳＨＯ）能力、サポートするセキュリティアルゴリズム、単一の無線音声通話の連続性（Ｓｉｎｇｌｅ  Ｒａｄｉｏ  Ｖｏｉｃｅ  Ｃａｌｌ  Ｃｏｎｔｉｎｕｉｔｙ、ＳＲＶＣＣ）をサポートするか否か等である。
【００３２】
例えば、表１は各能力グループに含まれる能力及び該能力グループの識別子を示す。端末デバイスがネットワークデバイスに識別子０を報告する場合、端末デバイスが２ＣＣ  ＣＡの能力を有することを示す。端末デバイスがネットワークデバイスに識別子１を報告する場合、端末デバイスが３ＣＣ  ＣＡの能力を有することを示す。端末デバイスがネットワークデバイスに識別子２を報告する場合、端末デバイスが４ＣＣ  ＣＡの能力を有することを示す。端末デバイスがネットワークデバイスに識別子３を報告する場合、端末デバイスがｅＭＢＭＳ能力を有することを示す。端末デバイスがネットワークデバイスに識別子４を報告する場合、端末デバイスがＶ２Ｘ通信能力を有することを示す。端末デバイスがネットワークデバイスに識別子５を報告する場合、端末デバイスがＦＲ１周波数帯の伝送をサポートすることを示す。端末デバイスがネットワークデバイスに識別子６を報告する場合、端末デバイスがＦＲ２周波数帯の伝送をサポートすることを示す。端末デバイスがネットワークデバイスに識別子７を報告する場合、端末デバイスが最大８ビーム伝送をサポートすることを示す。端末デバイスがネットワークデバイスに識別子８を報告する場合、端末デバイスが最大４ビーム伝送をサポートすることを示す。
【００３３】
【表１】
2022501857.tif 000015
【００３４】
実際の応用において、該能力グループには、さらに例えば表２又は表３に示すように、より細かく分割された能力を含んでもよく、以下、キャリアアグリゲーション能力における２ＣＣ  ＣＡ、３ＣＣ  ＣＡ及びＶ２Ｘ通信能力を例として説明する。
【００３５】
表２において、２ＣＣ  ＣＡにおいて利用可能な周波数帯（ｂａｎｄ、Ｂ）はＢ１＋Ｂ７、Ｂ１＋Ｂ５及びＢ５＋Ｂ７等を含み、３ＣＣ  ＣＡにおいて利用可能な周波数帯はＢ１＋Ｂ５＋Ｂ７、Ｂ１＋Ｂ５＋Ｂ８及びＢ５＋Ｂ７＋Ｂ８等を含み、Ｖ２Ｘ通信能力にはＵｕインターフェースに基づく通信能力及びサイドリンク（Ｓｉｄｅｌｉｎｋ、ＳＬ）に基づく通信能力を含み、さらに、Ｕｕインターフェースに基づく通信能力はセミパーシステントスケジューリング（Ｓｅｍｉ−Ｐｅｒｓｉｓｔｅｎｔ  Ｓｃｈｅｄｕｌｉｎｇ、ＳＰＳ）能力、リソース検出（ｓｅｎｓｉｎｇ）能力等を含む。
【００３６】
表３において、２ＣＣ  ＣＡにおいて利用可能な周波数帯はＢ１、Ｂ５及びＢ７等を含み、３ＣＣ  ＣＡにおいて利用可能な周波数帯はＢ１、Ｂ５、Ｂ７及びＢ８等を含み、Ｖ２Ｘ通信能力にはＵｕインターフェースに基づく通信能力及びサイドリンクに基づく通信能力を含み、さらに、Ｕｕインターフェースに基づく通信能力はセミパーシステントスケジューリング能力及びリソース検出能力等を含む。
【００３７】
端末デバイスが備える能力について、これらの能力の属する能力グループの識別子をネットワークデバイスに報告し、それによりネットワークデバイスは該端末デバイスから受信した能力グループの識別子に基づいて端末デバイスの能力を確定する。
【００３８】
例えば、表２に示すように、端末デバイスが識別子１００を報告する場合、該端末デバイスは２ＣＣ  ＣＡにおける全ての周波数帯の組み合わせをサポートすることを表し、即ちＢ１＋Ｂ５、Ｂ１＋Ｂ７及びＢ５＋Ｂ７等の全ての周波数帯の組み合わせをサポートする。端末デバイスが識別子１１０を報告する場合、Ｂ１＋Ｂ５のみをサポートすることを表す。端末デバイスが識別子１１０と１２０を報告する場合、Ｂ１＋Ｂ５とＢ１＋Ｂ７をサポートすることを表す。端末デバイスが識別子２１０を報告する場合、Ｂ１＋Ｂ５＋Ｂ７をサポートすることを表す。
【００３９】
また、例えば、表２に示すように、端末デバイスが識別子３２０を報告する場合、端末デバイスはＶ２Ｘにおけるサイドリンク伝送をサポートすることを表す。端末デバイスが識別子３２１と３２２を報告する場合、端末デバイスはサイドリンクにおけるセミパーシステントスケジューリング伝送とリソース検出をサポートすることを表す。
【００４０】
また、例えば、表３に示すように、端末デバイスが２ＣＣ  ＣＡ下のバンドＢ１をサポート可能でありさえすれば、端末デバイスが識別子１１０を報告する場合、端末デバイスは、例えばＢ１＋Ｂ５、Ｂ１＋Ｂ７等のＢ１を含む全てのバンドの組み合わせをサポート可能であることを表す。端末デバイスが２ＣＣ  ＣＡ下のバンドＢ５をサポート可能でありさえすれば、端末デバイスが識別子１２０を報告する場合、端末デバイスは、例えばＢ１＋Ｂ５、Ｂ５＋Ｂ７等のＢ５を含む全てのバンドの組み合わせをサポート可能であることを表す。
【００４１】
【表２】
2022501857.tif 000016
【００４２】
【表３】
2022501857.tif 000017
【００４３】
表１〜表３に示す能力グループの分割方法は一例に過ぎず、本願の実施例はその他の能力グループの分割方法を用いてもよく、能力分割の粒度に対して限定しない。能力グループの分割を実現可能なその他の方法はいずれも本願の実施例の保護範囲に含まれるべきである。
【００４４】
好ましくは、図３に示すように、該方法はさらに３３０を含む。
【００４５】
３３０において、端末デバイスが付加能力の情報及び付加指示情報をネットワークデバイスに報告する。
【００４６】
該付加指示情報は、該少なくとも１つの能力グループのもとに該付加能力を増加又は減少させるように該端末デバイスに指示するために用いられる。
【００４７】
該付加能力は少なくとも１つの能力を含んでもよい。
【００４８】
例えば、図４に示すように、端末デバイスは能力グループ１、能力グループ２及び能力グループ３の識別子を報告した後、さらに付加能力１〜付加能力ｎを報告することができ、これらの能力グループに含まれる能力にこれらの付加能力を加算又は減算すると、最終的に端末デバイスの能力を構成することができる。
【００４９】
端末デバイスは自身の一部の能力の属する能力グループの識別子を報告した後、その属する適切な能力グループが見つからないいくつかの能力が残る可能性がある。この場合、これらの能力は個別で報告する方法を用いて、増加を必要とする能力情報をネットワークデバイスに直接報告してもよい。
【００５０】
例えば、上記表３を参照し、端末デバイスが３ＣＣ  ＣＡをサポートし、３ＣＣ  ＣＡにおけるバンドＢ１をサポートする場合、該端末デバイスが例えばＢ１＋Ｂ５＋Ｂ７、及びＢ１＋Ｂ５＋Ｂ８等のＢ１を含む全てのバンドの組み合わせをサポート可能であることを表示するために、端末デバイスがネットワークデバイスに識別子２１０を報告する。ところが、端末デバイスがさらにＢ５＋Ｂ７＋Ｂ８を個別でサポートする場合、端末デバイスは、例えば図２における２２０の方法を用いてネットワークデバイスに自身の付加能力、即ちＢ５＋Ｂ７＋Ｂ８を報告し、該付加能力が増加した能力であることをネットワークデバイスに指示し、それによりネットワークデバイスは端末デバイスの能力が識別子２１０の表示する能力グループにおける各能力及び能力Ｂ５＋Ｂ７＋Ｂ８を含むことを確定する。
【００５１】
又は、端末デバイスが自身の備える一部の能力の属する能力グループの識別子を報告した後、報告した能力グループにおけるいくつかの能力がサポートしないことを発見する場合、端末デバイスは個別で報告する方法を用いて、減少を必要とする部分の能力をネットワークデバイスに直接報告してもよい。
【００５２】
例えば、上記表３を参照し、端末デバイスが３ＣＣ  ＣＡをサポートし、３ＣＣ  ＣＡにおけるバンドＢ１をサポートする場合、該端末デバイスが例えばＢ１＋Ｂ５＋Ｂ７、及びＢ１＋Ｂ５＋Ｂ８等のＢ１を含む全てのバンドの組み合わせをサポート可能であることを表示するために、端末デバイスがネットワークデバイスに識別子２１０を報告する。ところが、端末デバイスはさらに付加能力の情報及び該端末デバイスがＢ５、Ｂ７、Ｂ８のいずれもサポートしないことを指示する付加指示情報を報告する場合、ネットワークデバイスは端末デバイスの能力が能力Ｂ５、Ｂ７、Ｂ８のいずれも除いた、識別子２１０の表示する能力グループにおける各能力を含むことを確定する。
【００５３】
好ましくは、３１０の前、該方法において、さらにネットワークデバイスは、端末デバイスが該少なくとも１つの能力グループの識別子を報告することを指示する能力要求メッセージを端末デバイスに送信することを含む。
【００５４】
対応的に、３１０の前、該方法において、さらに端末デバイスは、ネットワークデバイスから送信された、端末デバイスが該少なくとも１つの能力グループの識別子を報告することを指示する能力要求メッセージを受信することを含む。
【００５５】
即ち、端末デバイスは自身の能力の属する能力グループの識別子を自ら報告してもよく、ネットワークデバイスの要求下で、ネットワークデバイスから送信された能力要求メッセージに基づいて該能力グループの識別子を送信してもい。
【００５６】
説明すべきことは、矛盾しないことを前提として、本願に説明された各実施例及び／又は各実施例における技術的特徴を任意に互いに組み合わせることができ、組み合わせ後に得られた技術的解決手段も本願の保護範囲に含まれるべきである。
【００５７】
理解すべきことは、本願の各実施例において、上記各プロセスの番号の大きさは実行順位の前後を意味せず、各プロセスの実行順位はその機能及び内部ロジックにより確定され、本願の実施例にかかる実施プロセスを如何なる限定を行うべきではない。
【００５８】
以上、本願の実施例による通信方法を詳しく説明しているが、以下、図４から図８に合わせて、本願の実施例による装置を説明し、方法の実施例により説明される技術的特徴は以下の装置の実施例に適用される。
【００５９】
図５は本願の実施例による端末デバイス５００の概略ブロック図である。図５に示すように、該端末デバイス５００は、前記端末デバイスのサポートする能力の属する少なくとも１つの能力グループの識別子をネットワークデバイスに報告する送受信ユニット５１０を含む。
【００６０】
そのため、端末デバイスのサポート可能な様々な能力をグループ化し、端末デバイスは自身のサポートする能力の属する能力グループの識別子をネットワークデバイスに報告することにより、ネットワークデバイスは受信した能力グループの識別子に基づいて端末デバイスのサポートする能力を確定する。端末デバイスはサポートする各能力情報をそれぞれネットワークデバイスに報告する必要がないため、端末デバイスの能力情報を報告する時に生じたシグナリングオーバーヘッドを低減させる。
【００６１】
好ましくは、前記端末デバイスは、さらに複数の能力グループ及び各能力グループに含まれた能力を含む能力グループ化情報を取得する取得ユニット５２０を含む。
【００６２】
好ましくは、前記取得ユニット５２０は具体的に、前記送受信ユニット５１０はネットワークデバイスから送信された前記能力グループ化情報を受信し、又は、前記端末デバイスに事前に記憶された前記能力グループ化情報を取得するために用いられる。
【００６３】
好ましくは、前記送受信ユニット５１０は具体的に、前記ネットワークデバイスから送信された非アクセス層ＮＡＳシグナリング又はアクセス層ＡＳシグナリングを受信するために用いられ、前記ＮＡＳシグナリング又はＡＳシグナリングには前記能力グループ化情報が携帯される。
【００６４】
好ましくは、前記送受信ユニット５１０はさらに、前記ネットワークデバイスに、少なくとも１つの能力を含む付加能力の情報、及び前記少なくとも１つの能力グループのもとに前記付加能力を増加又は減少させるように前記端末デバイスに指示する付加指示情報を報告するために用いられる。
【００６５】
好ましくは、前記送受信ユニット５１０はさらに、前記ネットワークデバイスから送信された、前記端末デバイスが前記少なくとも１つの能力グループの識別子を報告することを指示する能力要求メッセージを受信するために用いられる。
【００６６】
好ましくは、前記少なくとも１つの能力グループは、それぞれ、キャリアアグリゲーションにおける２つのキャリアアグリゲーション能力２ＣＣ  ＣＡ、キャリアアグリゲーションにおける３つのキャリアアグリゲーション能力３ＣＣ  ＣＡ、キャリアアグリゲーションにおける４つのキャリアアグリゲーション能力４ＣＣ  ＣＡ、周波数範囲ＦＲ１、周波数範囲ＦＲ２、増強型マルチメディアブロードキャストマルチキャストｅＭＢＭＳ能力、車両のインターネットＶ２Ｘ通信能力及びビーム伝送能力のうち少なくとも１つの能力を含む。
【００６７】
理解すべきことは、該端末デバイス５００は上記方法３００において端末デバイスにより実行される対応する操作を実行してもよく、簡単化するために、ここでその説明を省略する。
【００６８】
図６は本願の実施例によるネットワークデバイス６００の概略ブロック図である。図６に示すように、該ネットワークデバイス６００は、端末デバイスの報告する、前記端末デバイスのサポートする能力の属する少なくとも１つの能力グループの識別子を受信する送受信ユニット６１０を含む。
【００６９】
そのため、端末デバイスのサポート可能な様々な能力をグループ化し、端末デバイスは自身のサポートする能力の属する能力グループの識別子をネットワークデバイスに報告することにより、ネットワークデバイスは受信した能力グループの識別子に基づいて端末デバイスのサポートする能力を確定する。端末デバイスはサポートする各能力情報をそれぞれネットワークデバイスに報告する必要がないため、端末デバイスの能力情報を報告する時に生じたシグナリングオーバーヘッドを低減させる。
【００７０】
好ましくは、前記ネットワークデバイスは、さらに前記少なくとも１つの能力グループに基づいて前記端末デバイスのサポートする能力を確定する処理ユニット６２０をさらに含む。
【００７１】
好ましくは、前記送受信ユニット６１０はさらに、前記端末デバイスに、複数の能力グループ及び各能力グループに含まれる能力を含む能力グループ化情報を送信するために用いられる。
【００７２】
好ましくは、前記送受信ユニット６１０は具体的に、前記端末デバイスにＮＡＳシグナリング又はＡＳシグナリングを送信するために用いられ、前記ＮＡＳシグナリング又はＡＳシグナリングには前記能力グループ化情報が携帯される。
【００７３】
好ましくは、前記送受信ユニット６１０はさらに、前記端末デバイスが報告した、少なくとも１つの能力を含む付加能力の情報、及び前記少なくとも１つの能力グループのもとに前記付加能力を増加又は減少させるように前記端末デバイスに指示する付加指示情報を受信するために用いられる。
【００７４】
好ましくは、前記送受信ユニット６１０はさらに、前記端末デバイスに、前記端末デバイスが前記少なくとも１つの能力グループの識別子を報告することを指示する能力要求メッセージを送信するために用いられる。
【００７５】
好ましくは、前記能力グループは、キャリアアグリゲーションにおける２つのキャリアアグリゲーション能力２ＣＣ  ＣＡ、キャリアアグリゲーションにおける３つのキャリアアグリゲーション能力３ＣＣ  ＣＡ、キャリアアグリゲーションにおける４つのキャリアアグリゲーション能力４ＣＣ  ＣＡ、周波数範囲ＦＲ１、周波数範囲ＦＲ２、増強型マルチメディアブロードキャストマルチキャストｅＭＢＭＳ能力、車両のインターネットＶ２Ｘ通信能力及びビーム伝送能力のうち少なくとも１つの能力を含む。
【００７６】
理解すべきことは、該ネットワークデバイス６００は上記方法３００においてネットワークデバイスにより実行される対応する操作を実行してもよく、簡単化するために、ここでその説明を省略する。
【００７７】
図７は本願の実施例により提供される通信デバイス７００の概略構成図である。図７に示す通信デバイス７００は、本願の実施例における方法を実現するために、非一時的なメモリからコンピュータプログラムを呼び出して実行することができるプロセッサ７１０を含む。
【００７８】
好ましくは、図７に示すように、通信デバイス７００はさらに非一時的なメモリ７２０を含んでもよい。ここで、本願の実施例における方法を実現するために、プロセッサ７１０は非一時的なメモリ７２０からコンピュータプログラムを呼び出して実行することができる。
【００７９】
ここで、非一時的なメモリ７２０はプロセッサ７１０から独立した単独なデバイスであってもよく、プロセッサ７１０内に集積されてもよい。
【００８０】
好ましくは、図７に示すように、通信デバイス７００はさらにトランシーバー７３０を含んでもよく、プロセッサ７１０は該トランシーバー７３０がその他のデバイスと通信することを制御することができ、具体的に、その他のデバイスに情報又はデータを送信し、又はその他のデバイスから送信された情報又はデータを受信することができる。
【００８１】
ここで、トランシーバー７３０はトランスミッターとレシーバーを含んでもよい。トランシーバー７３０はさらにアンテナを含んでもよく、アンテナの数は１つ又は複数であってもよい。
【００８２】
好ましくは、該通信デバイス７００は、具体的に、本願の実施例にかかる端末デバイスであってもよく、該通信デバイス７００は本願の実施例にかかる各方法において端末デバイスにより実現される該当のプロセスを実現することができ、簡単化するために、ここでその説明を省略する。
【００８３】
好ましくは、該通信デバイス７００は、具体的に、本願の実施例にかかるネットワークデバイスであってもよく、該通信デバイス７００は本願の実施例にかかる各方法においてネットワークデバイスにより実現される該当のプロセスを実現することができ、簡単化するために、ここでその説明を省略する。
【００８４】
図８は本願の実施例にかかるチップの概略構成図である。図８に示すチップ８００は、本願の実施例における方法を実現するために、非一時的なメモリからコンピュータプログラムを呼び出して実行することができるプロセッサ８１０を含む。
【００８５】
好ましくは、図８に示すように、チップ８００はさらに非一時的なメモリ８２０を含んでもよい。ここで、本願の実施例における方法を実現するために、プロセッサ８１０は非一時的なメモリ８２０からコンピュータプログラムを呼び出して実行することができる。
【００８６】
ここで、非一時的なメモリ８２０はプロセッサ８１０から独立した単独なデバイスであってもよく、プロセッサ８１０内に集積されてもよい。
【００８７】
好ましくは、該チップ８００はさらに入力インターフェース８３０を含んでもよい。ここで、プロセッサ８１０は該入力インターフェース８３０がその他のデバイス又はチップと通信することを制御することができ、具体的に、その他のデバイス又はチップから送信された情報又はデータを取得することができる。
【００８８】
好ましくは、該チップ８００はさらに出力インターフェース８４０を含んでもよい。ここで、プロセッサ８１０は該出力インターフェース８４０がその他のデバイス又はチップと通信することを制御することができ、具体的に、その他のデバイス又はチップに情報又はデータを出力することができる。
【００８９】
好ましくは、該チップは本願の実施例における端末デバイスに適用され、該チップは本願の実施例にかかる各方法において端末デバイスにより実現される該当のプロセスを実現することができ、簡単化するために、ここでその説明を省略する。
【００９０】
好ましくは、該チップは本願の実施例におけるネットワークデバイスに適用され、該チップは本願の実施例にかかる各方法においてネットワークデバイスにより実現される該当のプロセスを実現することができ、簡単化するために、ここでその説明を省略する。
【００９１】
理解すべきことは、本願の実施例に言及されたチップはシステムオンチップ、システムチップ、チップシステム又はチップ上のシステムチップ等と呼ぶこともできる。
【００９２】
理解すべきことは、本願の実施例にかかるプロセッサは集積回路チップであり、信号の処理機能を有する可能性がある。実現プロセスにおいて、上記方法の実施例の各ステップはプロセッサにおけるハードウェアの論理集積回路又はソフトウェア形態の命令により実行されてもよい。上記プロセッサは汎用プロセッサ、デジタル信号プロセッサ（Ｄｉｇｉｔａｌ  Ｓｉｇｎａｌ  Ｐｒｏｃｅｓｓｏｒ、ＤＳＰ）、特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ、ＡＳＩＣ）、フィールドプログラマブルゲートアレイ（Ｆｉｅｌｄ  Ｐｒｏｇｒａｍｍａｂｌｅ  Ｇａｔｅ  Ａｒｒａｙ、ＦＰＧＡ）又はその他のプログラム可能なロジックデバイス、ディスクリートゲート又はトランジスタロジックデバイス、ディスクリートハードウェアコンポーネントであってもよい。本願の実施例に開示された各方法、ステップ及び論理ブロック図を実現又は実行することができる。汎用プロセッサはマイクロプロセッサであってもよく、又は該プロセッサは任意の従来のプロセッサ等であってもよい。本願の実施例に開示された方法のステップに合わせてハードウェアデコードプロセッサにより実行し完成し、又はデコードプロセッサにおけるハードウェア及びソフトウェアモジュールを組み合わせて実行し完了することにより直接現れる。ソフトウェアモジュールはランダムメモリ、フラッシュメモリ、読み取り専用メモリ、プログラマル読み取り専用メモリ又は電気的書き換え可能なプログラマブルメモリ、レジスタ等の当該分野の従来の記憶媒体に配置することができる。該記憶媒体は非一時的なメモリに配置され、プロセッサが非一時的なメモリの情報を読み取り、そのハードウェアに合わせて上記方法のステップを完了させる。
【００９３】
理解可能なことは、本願の実施例における非一時的なメモリは揮発性メモリ又は非揮発性メモリであってもよく、又は揮発性及び非揮発性メモリの両者を含んでもよい。ただし、非揮発性メモリは読み取り専用メモリ（Ｒｅａｄ−Ｏｎｌｙ  Ｍｅｍｏｒｙ、ＲＯＭ）、プログラマル読み取り専用メモリ（Ｐｒｏｇｒａｍｍａｂｌｅ  ＲＯＭ、ＰＲＯＭ）、消去可能なプログラマル読み取り専用メモリ（Ｅｒａｓａｂｌｅ  ＰＲＯＭ、ＥＰＲＯＭ）、電気的消去可能なプログラマル読み取り専用メモリ（Ｅｌｅｃｔｒｉｃａｌｌｙ  ＥＰＲＯＭ、ＥＥＰＲＯＭ）又はフラッシュメモリであってもよい。揮発性メモリはランダムアクセスメモリ（Ｒａｎｄｏｍ  Ａｃｃｅｓｓ  Ｍｅｍｏｒｙ、ＲＡＭ）であってもよく、外部キャッシュとして用いられる。制限的ではなく例示的な説明により、様々な形態のＲＡＭは使用可能となり、例えばスタティックランダムアクセスメモリ（Ｓｔａｔｉｃ  ＲＡＭ、ＳＲＡＭ）、ダイナミックランダムアクセスメモリ（Ｄｙｎａｍｉｃ  ＲＡＭ、ＤＲＡＭ）、同期式ダイナミックランダムアクセスメモリ（Ｓｙｎｃｈｒｏｎｏｕｓ  ＤＲＡＭ、ＳＤＲＡＭ）、ダブルデータレート同期式ダイナミックランダムアクセスメモリ（Ｄｏｕｂｌｅ  Ｄａｔａ  Ｒａｔｅ  ＳＤＲＡＭ、ＤＤＲ  ＳＤＲＡＭ）、増強型同期式ダイナミックランダムアクセスメモリ（Ｅｎｈａｎｃｅｄ  ＳＤＲＡＭ、ＥＳＤＲＡＭ）、同期式リンクダイナミックランダムアクセスメモリ（Ｓｙｎｃｈｌｉｎｋ  ＤＲＡＭ、ＳＬＤＲＡＭ）及びダイレクトラムバスランダムアクセスメモリ（Ｄｉｒｅｃｔ  Ｒａｍｂｕｓ  ＲＡＭ、ＤＲ  ＲＡＭ）が使用可能である。注意すべきことは、本明細書に記載のシステムと方法のメモリはこれら及び任意のその他の適切なタイプのメモリを含むがこれらに限定されないことを目的とする。
【００９４】
図９は本願の実施例により提供される通信システム９００の概略ブロック図である。図９に示すように、該通信システム９００は端末デバイス９１０とネットワークデバイス９２０を含む。
【００９５】
該端末デバイス９１０は、前記端末デバイスのサポートする能力の属する少なくとも１つの能力グループの識別子を報告するために用いられる。
【００９６】
該ネットワークデバイス９２０は、端末デバイスの報告する、前記端末デバイスのサポートする能力の属する少なくとも１つの能力グループの識別子を受信するために用いられる。
【００９７】
該端末デバイス９１０は上記方法３００において端末デバイスにより実現される対応する機能の実現に適用されてもよく、さらに、該端末デバイス９１０の構成は図４の端末デバイス４００に示されてもよく、簡単化するために、ここでその説明を省略する。
【００９８】
該ネットワークデバイス９２０は上記方法３００においてネットワークデバイスにより実現される対応する機能の実現に適用されてもよく、さらに、該ネットワークデバイス９２０の構成は図５のネットワークデバイス５００に示されてもよく、簡単化するために、ここでその説明を省略する。
【００９９】
本願の実施例は、さらに、コンピュータプログラムを記憶するコンピュータ読み取り可能な記憶媒体を提供する。好ましくは、該コンピュータ読み取り可能な記憶媒体は本願の実施例におけるネットワークデバイスに適用されてもよく、該コンピュータプログラムはコンピュータに本願の実施例の各方法においてネットワークデバイスにより実現される該当のプロセスを実行させるが、簡単化するために、ここでその説明を省略する。好ましくは、該コンピュータ読み取り可能な記憶媒体は本願の実施例における端末デバイスに適用されてもよく、該コンピュータプログラムはコンピュータに本願の実施例の各方法において端末デバイスにより実現される該当のプロセスを実行させるが、簡単化するために、ここでその説明を省略する。
【０１００】
本願の実施例は、さらに、コンピュータプログラム命令を含むコンピュータプログラム製品を提供する。好ましくは、該コンピュータプログラム製品は本願の実施例におけるネットワークデバイスに適用されてもよく、該コンピュータプログラム命令はコンピュータに本願の実施例の各方法においてネットワークデバイスにより実現される該当のプロセスを実行させるが、簡単化するために、ここでその説明を省略する。好ましくは、該コンピュータプログラム製品は本願の実施例における端末デバイスに適用されてもよく、該コンピュータプログラム命令はコンピュータに本願の実施例の各方法において端末デバイスにより実現される該当のプロセスを実行させるが、簡単化するために、ここでその説明を省略する。
【０１０１】
本願の実施例は、さらに、コンピュータプログラムを提供する。好ましくは、該コンピュータプログラムは本願の実施例におけるネットワークデバイスに適用されてもよく、該コンピュータプログラムがコンピュータで実行される時、コンピュータに本願の実施例の各方法においてネットワークデバイスにより実現される該当のプロセスを実行させるが、簡単化するために、ここでその説明を省略する。好ましくは、該コンピュータプログラムは本願の実施例における端末デバイスに適用されてもよく、該コンピュータプログラムがコンピュータで実行される時、コンピュータに本願の実施例の各方法において端末デバイスにより実現される該当のプロセスを実行させるが、簡単化するために、ここでその説明を省略する。
【０１０２】
理解すべきことは、本明細書における用語「システム」及び「ネットワーク」は本明細書において常に同じ意味で使用される。本明細書における用語「及び／又は」は、関連対象の関連関係を説明することに過ぎず、３つの関係が存在することを示す。例えば、Ａ及び／又はＢは、Ａが単独で存在する、ＡとＢが同時に存在する、Ｂが単独で存在するという３つのケースを示す。また、本明細書における記号「／」は、一般的に前後の関連付けられたオブジェクトが「又は」の関係であることを示す。
【０１０３】
また、理解すべきことは、本発明の実施例において、「Ａに相応（対応）するＢ」はＢがＡに関連し、Ａに基づいてＢを決定することができることを示す。さらに理解すべきことは、Ａに基づいてＢを決定することはＡに基づいてＢを決定することのみを意味せず、Ａ及び／又はその他の情報に基づいてＢを決定してもよい。
【０１０４】
当業者であれば、本明細書により開示された実施例に合わせて説明された各例のユニット及びアルゴリズムステップは、電子ハードウェア、又はコンピュータソフトウェアと電子ハードウェアとの組み合わせにより実現できることを気付くことができる。これらの機能がハードウェアそれともソフトウェアの方式により実行されるかは、技術的解決手段の特定の応用及び設計の拘束条件に依存する。当業者であればそれぞれの特定の応用に対して異なる方法を用いて説明される機能を実現できるが、このような実現が本願の範囲を超えると考えられるべきではない。
【０１０５】
当業者であれば明らかに理解できるように、説明を便利且つ簡潔にするために、上記システム、装置及びユニットの具体的な動作プロセスは、前記方法の実施例における該当のプロセスを参照することができ、ここでその説明を省略する。
【０１０６】
本願により提供されるいくつかの実施例において、理解すべきことは、開示されたシステム、装置及び方法は、その他の方式により実現できる。例えば、上記装置の実施例は例示的なものに過ぎず、例えば、該ユニットの分割は、論理機能の分割に過ぎず、実際に実現する時に別の分割方式があってもよく、例えば複数のユニット又はアセンブリは組み合わせられてもよく、又は別のシステムに集積されてもよく、又はいくつかの特徴を無視してもよく、又は実行しなくてもよい。一方、表示又は検討されている相互結合又は直接結合又は通信接続はいくつかのインターフェース、装置又はユニットによる間接結合又は通信接続であってもよく、電気的、機械的又はその他の形態であってもよい。
【０１０７】
前述の分離部品として説明するユニットは、物理的に分離であってもよく、そうでなくてもよい。ユニット表示の部品として物理ユニットであってもよく、そうでなくてもよい。１つの場所に位置してもよく、又は複数のネットワークユニットに分布されてもよい。実際の必要に応じてその一部又は全てのユニットを選択して本実施例の方法の目的を実現することができる。
【０１０８】
また、本願の各実施例における各機能ユニットは１つの処理ユニットに集積されてもよく、各ユニットの単独の物理的存在であってもよく、２個以上のユニットが１個のユニットに集積されてもよい。
【０１０９】
前記機能はソフトウェア機能ユニットの形態により実現され、独立した製品として販売又は使用される場合、コンピュータ読み取り可能な記憶媒体に記憶することができる。このような理解のもとに、本願の技術的解決手段は、本質的に又は従来技術に貢献する部分又は該技術的解決手段の一部はソフトウェア製品の形態により表現でき、該コンピュータソフトウェア製品は記憶媒体内に記憶され、１台のコンピュータデバイス（パーソナルコンピュータ、サーバー、又はネットワークデバイス等であってもよい）に本願の各実施例に記載の方法の全て又は一部のステップを実行させるための複数の命令を含む。前述の記憶媒体は、ＵＳＢ、モバイルハードディスク、読み取り専用メモリ（Ｒｅａｄ−Ｏｎｌｙ  Ｍｅｍｏｒｙ、ＲＯＭ）、ランダムアクセスメモリ（Ｒａｎｄｏｍ  Ａｃｃｅｓｓ  Ｍｅｍｏｒｙ、ＲＡＭ）、磁気ディスク又は光ディスク等の様々なプログラムコードを記憶できる媒体を含む。
【０１１０】
以上の説明は本願の具体的な実施形態であり、本願の保護範囲はこれに限定されず、当業者が本願に開示された技術的範囲内で容易に想到できる変更又は置換は、いずれも本願の保護範囲内に含まれるべきである。そのため、本願の保護範囲は特許請求の範囲に準じるべきである。
【手続補正３】
【補正対象書類名】図面
【補正対象項目名】図２
【補正方法】変更
【補正の内容】
【図２】
2022501857.tif 000018
【手続補正４】
【補正対象書類名】図面
【補正対象項目名】図３
【補正方法】変更
【補正の内容】
【図３】
2022501857.tif 000019
【国際調査報告】
2022501857.tif 000020
2022501857.tif 000021
2022501857.tif 000022
2022501857.tif 000023